(57)【要約】【課題】構造の簡素化を図ることができる硬貨処理装置を提供する。【解決手段】正常硬貨貯留部６０に貯留している正常硬貨を、収納繰出部８１に落下させる収納繰出部放出位置と、収納シュート７１を介して収納部７０に落下させる収納部放出位置とに移動する振分部６２と、振分部６２が収納繰出部放出位置及び収納部放出位置の何れにあっても汚損硬貨貯留部６３ｇから落下する汚損硬貨を一括で収納する汚損硬貨収納部８２ｇとを備え、振分部６２は、引出部の引き出し方向に直交する横方向に移動可能であり、収納シュート７１及び収納繰出部８１は、前記横方向に並んで設けられ、汚損硬貨収納部８２ｇが、収納シュート７１及び収納繰出部８１に対し前記引き出し方向の手前側に設けられると共に、前記横方向において収納シュート７１及び収納繰出部８１の両方に跨がる範囲に設けられる一体の汚損硬貨収納箱である。【選択図】図３
2018081383.tif 000002
【特許請求の範囲】
【請求項１】
正常硬貨を収納すると共に収納している正常硬貨を繰り出す収納繰出部と、
正常硬貨を収納する収納部と、
前記収納部に落下する硬貨を案内する収納シュートと、
正常硬貨を貯留する正常硬貨貯留部と汚損硬貨を貯留する汚損硬貨貯留部とを有し、前記正常硬貨貯留部に貯留している正常硬貨を底部が開くことで前記収納繰出部に落下させる収納繰出部放出位置と前記正常硬貨貯留部に貯留している正常硬貨を底部が開くことで前記収納シュートを介して前記収納部に落下させる収納部放出位置とに移動する振分部と、
前記振分部が前記収納繰出部放出位置及び前記収納部放出位置の何れにあっても前記汚損硬貨貯留部から底部が開くことで落下する汚損硬貨を一括で収納する汚損硬貨収納部とを備え、
前記収納部、前記収納シュート及び前記振分部が設けられた本体部に対して引き出し可能な引出部に、前記収納繰出部と前記汚損硬貨収納部とが設けられ、
前記振分部は、前記正常硬貨貯留部及び前記汚損硬貨貯留部が前記引出部の引き出し方向に並んで設けられると共に、前記引き出し方向に直交する横方向に移動可能であり、
前記収納繰出部及び前記収納シュートは、前記横方向に並んで設けられ、
前記汚損硬貨収納部は、前記収納繰出部及び前記収納シュートに対し前記引き出し方向の手前側に設けられると共に、前記横方向において前記収納繰出部及び前記収納シュートの両方に跨がる範囲に設けられる一体の汚損硬貨収納箱であることを特徴とする硬貨処理装置。
【請求項２】
正常硬貨を収納すると共に収納している正常硬貨を繰り出す収納繰出部と、
正常硬貨を収納する収納部と、
前記収納部に落下する硬貨を案内する収納シュートと、
正常硬貨を貯留する正常硬貨貯留部と汚損硬貨を貯留する汚損硬貨貯留部とを有し、前記正常硬貨貯留部に貯留している正常硬貨を底部が開くことで前記収納繰出部に落下させる収納繰出部放出位置と前記正常硬貨貯留部に貯留している正常硬貨を底部が開くことで前記収納シュートを介して前記収納部に落下させる収納部放出位置とに移動する振分部と、
前記振分部が前記収納繰出部放出位置及び前記収納部放出位置の何れにあっても前記汚損硬貨貯留部から底部が開くことで落下する汚損硬貨を一括で収納する汚損硬貨収納部とを備え、
前記収納部、前記収納シュート及び前記振分部が設けられた本体部に対して引き出し可能な引出部に、前記収納繰出部と前記汚損硬貨収納部とが設けられ、
前記振分部は、前記正常硬貨貯留部及び前記汚損硬貨貯留部が前記引出部の引き出し方向に並んで設けられると共に、前記引き出し方向に直交する横方向に移動可能であり、
前記収納繰出部及び前記収納シュートは、前記横方向に並んで設けられ、
前記汚損硬貨収納部は、前記収納繰出部及び前記収納シュートに対し前記引き出し方向の手前側に設けられると共に、前記横方向において前記収納繰出部及び前記収納部の両方に跨がる範囲に設けられる一体の汚損硬貨シュートと、該汚損硬貨シュートで案内される硬貨を収納する汚損硬貨収納箱とを有することを特徴とする硬貨処理装置。
【請求項３】
前記正常硬貨貯留部には、単一金種の硬貨をそれぞれ貯留する金種別の貯留区分部が前記引き出し方向に並んで設けられ、
前記収納繰出部には、単一金種の硬貨をそれぞれ収納する金種別の収納区分部が前記引き出し方向に並んで設けられ、
前記正常硬貨貯留部は、入金された硬貨を金種別の前記貯留区分部に金種別に分けて貯留すると共に、貯留している硬貨を前記収納繰出部放出位置にて金種別に分けた状態のまま前記収納繰出部の金種別の前記収納区分部に収納することを特徴とする請求項１又は２記載の硬貨処理装置。
【請求項４】
前記引出部の前記本体部に対する引き出し可能な範囲を、前記本体部から前記収納繰出部及び前記汚損硬貨収納部を突出させる範囲と、前記本体部から前記収納繰出部を突出させずに前記汚損硬貨収納部を突出させる範囲とに切り替え可能であることを特徴とする請求項１乃至３の何れか一項記載の硬貨処理装置。
【発明の詳細な説明】
【技術分野】
【０００１】
本発明は、硬貨の処理を行う硬貨処理装置に関する。
【背景技術】
【０００２】
硬貨の入出金及び包装ができる硬貨処理装置には、入金された硬貨を収納庫又は収納繰出部に収納し、硬貨の出金時に収納繰出部から硬貨を繰り出して出金するものがある（例えば特許文献１参照）。
【先行技術文献】
【特許文献】
【０００３】
【特許文献１】特許第５１３５１０３号公報
【発明の概要】
【発明が解決しようとする課題】
【０００４】
硬貨処理装置には、汚損のない正常硬貨と汚損のある汚損硬貨とを分類して収納するものがある。この種の硬貨処理装置において、入金された硬貨のうち、正常硬貨を収納繰出部又は収納部に収納する際に、何れに収納する場合であっても、汚損硬貨を共通の汚損硬貨収納部に収納するものがある。このような硬貨処理装置において、構造の簡素化が求められている。
【０００５】
本発明は、このような事情を鑑みてなされたものであり、構造の簡素化を図ることができる硬貨処理装置を提供する。
【課題を解決するための手段】
【０００６】
上記目的を達成するために、本発明に係る第１の態様は、正常硬貨を収納すると共に収納している正常硬貨を繰り出す収納繰出部と、正常硬貨を収納する収納部と、前記収納部に落下する硬貨を案内する収納シュートと、正常硬貨を貯留する正常硬貨貯留部と汚損硬貨を貯留する汚損硬貨貯留部とを有し、前記正常硬貨貯留部に貯留している正常硬貨を底部が開くことで前記収納繰出部に落下させる収納繰出部放出位置と前記正常硬貨貯留部に貯留している正常硬貨を底部が開くことで前記収納シュートを介して前記収納部に落下させる収納部放出位置とに移動する振分部と、前記振分部が前記収納繰出部放出位置及び前記収納部放出位置の何れにあっても前記汚損硬貨貯留部から底部が開くことで落下する汚損硬貨を一括で収納する汚損硬貨収納部とを有し、前記収納部、前記収納シュート及び前記振分部が設けられた本体部に対して引き出し可能な引出部に、前記収納繰出部と前記汚損硬貨収納部とが設けられ、前記振分部は、前記正常硬貨貯留部及び前記汚損硬貨貯留部が前記引出部の引き出し方向に並んで設けられると共に、前記引き出し方向に直交する横方向に移動可能であり、前記収納繰出部及び前記収納シュートは、前記横方向に並んで設けられ、前記汚損硬貨収納部は、前記収納繰出部及び前記収納シュートに対し前記引き出し方向の手前側に設けられると共に、前記横方向において前記収納繰出部及び前記収納シュートの両方に跨がる範囲に設けられる一体の汚損硬貨収納箱であることを特徴とする。
【０００７】
上記第１の態様によれば、振分部が、収納繰出部放出位置で底部を開くと、正常硬貨貯留部に貯留している正常硬貨を収納繰出部に落下させると共に汚損硬貨貯留部に貯留している汚損硬貨を汚損硬貨収納部に落下させることになり、収納部放出位置で底部を開くと、正常硬貨貯留部に貯留している正常硬貨を収納シュートを介して収納部に落下させると共に汚損硬貨貯留部に貯留している汚損硬貨を汚損硬貨収納部に落下させることになる。収納繰出部及び収納シュートを、引出部の引き出し方向に直交する横方向に並べて設け、収納繰出部放出位置及び収納部放出位置の両方で振分部から汚損硬貨を受け入れる汚損硬貨収納部を、収納繰出部及び収納シュートの両方に跨がる範囲に設けられる一体の汚損硬貨収納箱とすることで、構造の簡素化を図る。また、このような簡素な構造としても、汚損硬貨収納箱は、収納繰出部及び収納シュートに対し、引出部の引き出し方向の手前側に設けられることから、収納部及び収納シュートが設けられた本体部に対し引き出し可能な引出部に、一体の汚損硬貨収納箱と収納繰出部とを良好に配置することができる。
【０００８】
本発明に係る第２の態様は、正常硬貨を収納すると共に収納している正常硬貨を繰り出す収納繰出部と、正常硬貨を収納する収納部と、前記収納部に落下する硬貨を案内する収納シュートと、正常硬貨を貯留する正常硬貨貯留部と汚損硬貨を貯留する汚損硬貨貯留部とを有し、前記正常硬貨貯留部に貯留している正常硬貨を底部が開くことで前記収納繰出部に落下させる収納繰出部放出位置と前記正常硬貨貯留部に貯留している正常硬貨を底部が開くことで前記収納シュートを介して前記収納部に落下させる収納部放出位置とに移動する振分部と、前記振分部が前記収納繰出部放出位置及び前記収納部放出位置の何れにあっても前記汚損硬貨貯留部から底部が開くことで落下する汚損硬貨を一括で収納する汚損硬貨収納部とを有し、前記収納部、前記収納シュート及び前記振分部が設けられた本体部に対して引き出し可能な引出部に、前記収納繰出部と前記汚損硬貨収納部とが設けられ、前記振分部は、前記正常硬貨貯留部及び前記汚損硬貨貯留部が前記引出部の引き出し方向に並んで設けられると共に、前記引き出し方向に直交する横方向に移動可能であり、前記収納繰出部及び前記収納シュートは、前記横方向に並んで設けられ、前記汚損硬貨収納部は、前記収納繰出部及び前記収納シュートに対し前記引き出し方向の手前側に設けられると共に、前記横方向において前記収納繰出部及び前記収納部の両方に跨がる範囲に設けられる一体の汚損硬貨シュートと、該汚損硬貨シュートで案内される硬貨を収納する汚損硬貨収納箱とを有することを特徴とする。
【０００９】
上記第２の態様によれば、振分部が、収納繰出部放出位置で底部を開くと、正常硬貨貯留部に貯留している正常硬貨を収納繰出部に落下させると共に汚損硬貨貯留部に貯留している汚損硬貨を汚損硬貨収納部に落下させることになり、収納部放出位置で底部を開くと、正常硬貨貯留部に貯留している正常硬貨を収納シュートを介して収納部に落下させると共に汚損硬貨貯留部に貯留している汚損硬貨を汚損硬貨収納部に落下させることになる。収納繰出部及び収納シュートを、引出部の引き出し方向に直交する横方向に並べて設け、収納繰出部放出位置及び収納部放出位置の両方で振分部から汚損硬貨を受け入れる汚損硬貨収納部が、収納繰出部及び収納シュートの両方に跨がる範囲に設けられる一体のシュートを有することで、構造の簡素化を図る。また、このような簡素な構造としても、シュートは、収納繰出部及び収納シュートに対し、引出部の引き出し方向の手前側に設けられることから、収納部及び収納シュートが設けられた本体部に対し引き出し可能な引出部に、一体のシュートと収納繰出部とを良好に配置することができる。
【００１０】
本発明に係る第３の態様は、上記第１又は第２の態様において、前記正常硬貨貯留部には、単一金種の硬貨をそれぞれ貯留する金種別の貯留区分部が前記引き出し方向に並んで設けられ、前記収納繰出部には、単一金種の硬貨をそれぞれ収納する金種別の収納区分部が前記引き出し方向に並んで設けられ、前記正常硬貨貯留部は、入金された硬貨を金種別の前記貯留区分部に金種別に分けて貯留すると共に、貯留している硬貨を前記収納繰出部放出位置にて金種別に分けた状態のまま前記収納繰出部の金種別の前記収納区分部に収納することを特徴とする。
【００１１】
上記第３の態様によれば、振分部の正常硬貨貯留部は、入金された硬貨を金種別の貯留区分部に金種別に分けて貯留すると共に、貯留している硬貨を金種別に分けた状態のまま収納繰出部の金種別の収納区分部に収納可能であるため、収納繰出部から複数金種の硬貨を繰り出すことができる。
【００１２】
本発明に係る第４の態様は、上記第１乃至第３の何れか一態様において、前記引出部の前記本体部に対する引き出し可能な範囲を、前記本体部から前記収納繰出部及び前記汚損硬貨収納部を突出させる範囲と、前記本体部から前記収納繰出部を突出させずに前記汚損硬貨収納部を突出させる範囲とに切り替え可能であることを特徴とする。
【００１３】
上記第４の態様によれば、引出部の本体部に対する引き出し可能な範囲を、本体部から収納繰出部及び汚損硬貨収納部を突出させる範囲と、本体部から収納繰出部を突出させずに汚損硬貨収納部を突出させる範囲とに切り替え可能であるため、必要によりセキュリティ性を高めることができる。
【発明の効果】
【００１４】
本発明によれば、構造の簡素化を図ることができる硬貨処理装置を提供することができる。
【図面の簡単な説明】
【００１５】
【図１】本発明の第１実施形態に係る硬貨処理装置の構成を概略的に示す正面図である。
【図２】本発明の第１実施形態に係る硬貨処理装置の正面図である。
【図３】本発明の第１実施形態に係る硬貨処理装置の要部の斜視図であって、入金貯留部本体及び底板が共に装填位置にある状態を示すものである。
【図４】本発明の第１実施形態に係る硬貨処理装置の要部の斜視図であって、入金貯留部本体が収納位置にあり、底板が装填位置にある状態を示すものである。
【図５】本発明の第１実施形態に係る硬貨処理装置の要部の斜視図であって、入金貯留部本体が返却位置にあり、底板が収納位置にある状態を示すものである。
【図６】本発明の第１実施形態に係る硬貨処理装置の要部の斜視図であって、入金貯留部本体が装填位置にあり、底板が収納位置にある状態を示すものである。
【図７】本発明の第１実施形態に係る硬貨処理装置の要部の正面図であって、入金貯留部による硬貨の振り分け等を説明するためのものである。
【図８】本発明の第１実施形態に係る硬貨処理装置の上部ユニットを示す下方から見た斜視図である。
【図９】本発明の第１実施形態に係る硬貨処理装置の基本状態にある本体部に対して出金繰出引出部を最も押し込んだ状態の斜視図である。
【図１０】本発明の第１実施形態に係る硬貨処理装置の基本状態にある本体部に対して出金繰出引出部を最も引き出した状態を示す斜視図である。
【図１１】本発明の第１実施形態に係る硬貨処理装置の上部ユニットのユニット底部及び汚損硬貨収納箱を示す正断面図である。
【図１２】本発明の第１実施形態に係る硬貨処理装置の上部ユニットのユニット底部及び汚損硬貨収納箱を示す斜視断面図である。
【図１３】本発明の第１実施形態に係る硬貨処理装置の基本状態にある本体部に対して出金繰出引出部を所定の規制位置まで引き出した状態を示す斜視図である。
【図１４】本発明の第１実施形態に係る硬貨処理装置の基本状態にある本体部に対して出金繰出引出部を最も押し込んだ状態を示す平断面図である。
【図１５】本発明の第１実施形態に係る硬貨処理装置の基本状態にある本体部に対して出金繰出引出部を所定の規制位置まで引き出した状態を示す平断面図である。
【図１６】本発明の第２実施形態に係る硬貨処理装置の要部の斜視図であって、入金貯留部本体及び底板が共に装填位置にある状態を示すものである。
【図１７】本発明の第２実施形態に係る硬貨処理装置の上部ユニットのユニット底部及び汚損硬貨収納部を示す正断面図である。
【発明を実施するための形態】
【００１６】
＜第１実施形態＞
本発明の第１実施形態に係る硬貨処理装置を図１〜図１５を参照して以下に説明する。以下の説明における「前」は硬貨処理装置の操作者側、「後」は硬貨処理装置の操作者とは反対側、「左」は硬貨処理装置の操作者から見て左、「右」は硬貨処理装置の操作者から見て右である。
【００１７】
第１実施形態に係る硬貨処理装置１０は、図１に示すように、バラの硬貨（以下、硬貨と称す）に関する処理を行う硬貨処理部１１と、棒金（包装硬貨）に関する処理を行う棒金処理部１２とを有している。硬貨処理部１１には、硬貨処理装置１０の全体を制御する制御部１４１と、硬貨処理装置１０に電源を供給する電源部１４２とが設けられている。
【００１８】
［硬貨処理部１１］
硬貨処理部１１は、図１に示すように、外部から入金された硬貨の入金処理を行う硬貨入金部２１と、硬貨入金部２１から硬貨を受け入れて収納する収納処理を行うと共に収納している硬貨を外部に取り出し可能に出金する硬貨収納出金部２２とを有している。
【００１９】
硬貨入金部２１は、外部から硬貨が投入されると共に投入された硬貨を一枚ずつ分離して繰り出す入金ホッパ３１と、入金ホッパ３１から繰り出された硬貨を搬送しつつ入金識別計数部３２で真偽、金種及び正損を識別して計数する入金搬送部３３と、入金識別計数部３２で偽つまり受け入れ不可と識別された硬貨を入金搬送部３３から落下案内する開閉式の入金リジェクト案内部３４と、入金リジェクト案内部３４で入金搬送部３３から案内された硬貨を収納する入金リジェクト部３５とを有している。
【００２０】
入金リジェクト部３５は、箱状であって、図２に示す硬貨処理装置１０の装置本体４１の上部ユニット４２から前方に引き出されて上部ユニット４２から取り外される。ここで、上部ユニット４２は、装置本体４１の建屋フロアに設置されるベース筐体４３に対し前方に引き出し可能に連結されている。入金リジェクト部３５は、ベース筐体４３に対し押し込まれた上部ユニット４２に装填された状態で、図１に示す入金リジェクト案内部３４で案内された硬貨を収納し、上部ユニット４２から取り外されることで、収納した硬貨が外部に取り出し可能となる。
【００２１】
硬貨入金部２１は、入金識別計数部３２で真つまり受け入れ可能と識別された硬貨を入金搬送部３３から落下案内する開閉式の包装案内部５５を有している。包装案内部５５で案内された硬貨は棒金処理部１２に搬送される。ここで、入金ホッパ３１に投入された硬貨の中から、設定金種の硬貨を包装して棒金とするローカル包装処理時に、包装案内部５５が、入金識別計数部３２の識別結果に基づいて、設定金種の硬貨を棒金処理部１２に案内し、設定金種以外の硬貨を入金リジェクト案内部３４が入金リジェクト部３５に案内する。棒金処理部１２は、硬貨処理部１１から送り込まれた硬貨を所定の包装単位枚数（例えば５０枚）ずつ集積させて包装する。
【００２２】
硬貨入金部２１は、入金識別計数部３２で受け入れ可能と識別された硬貨を入金搬送部３３から落下案内する貯留案内部６１と、貯留案内部６１で入金搬送部３３から案内された硬貨を一時貯留する入金貯留部６２（振分部）とを有している。入金貯留部６２は、図２に示す上部ユニット４２に設けられている。
【００２３】
図３に示すように、入金貯留部６２は、汚損のない正常硬貨（非汚損硬貨）を貯留する正常硬貨用の正常硬貨貯留部６０と、汚損がある汚損硬貨を貯留する汚損硬貨用の貯留区分部６３ｇ（汚損硬貨貯留部）とを有している。正常硬貨貯留部６０は、単一金種の正常硬貨を貯留する金種別の貯留区分部６３ａ〜６３ｆを有している。汚損硬貨用の貯留区分部６３ｇは、汚損硬貨を金種混合で貯留する。
【００２４】
図１に示す貯留案内部６１は、入金搬送部３３の前後方向に沿う直線状の部分に設けられており、最も包装案内部５５側の部分が開閉式で全金種の汚損硬貨を入金搬送部３３から落下させて入金貯留部６２に案内することになり、その包装案内部５５とは反対側の部分が常時開の選別孔式であって汚損のない正常硬貨を小径のものから順に入金搬送部３３から落下させて入金貯留部６２に案内する。
【００２５】
貯留案内部６１の上記の振り分けの順番に合わせて、入金貯留部６２は、図３に示すように、汚損硬貨を貯留する専用の貯留区分部６３ｇ、１円の正常硬貨を貯留する専用の貯留区分部６３ａ、５０円の正常硬貨を貯留する専用の貯留区分部６３ｂ、５円の正常硬貨を貯留する専用の貯留区分部６３ｃ、１００円の正常硬貨を貯留する専用の貯留区分部６３ｄ、１０円の正常硬貨を貯留する専用の貯留区分部６３ｅ、５００円の正常硬貨を貯留する専用の貯留区分部６３ｆが、前側から後側に向けて、この順に直線状に並べられている。つまり、入金貯留部６２は、その前後方向の最前位置に、硬貨を貯留する７つの貯留区分部６３ａ〜６３ｇのうちの汚損硬貨を貯留する貯留区分部６３ｇを配置している。
【００２６】
入金貯留部６２は、貯留区分部６３ａ〜６３ｇの側壁部分を形成する一体の入金貯留部本体６４と、貯留区分部６３ａ〜６３ｇの底部を開閉する底板６５と、入金貯留部本体６４を左右方向（装置幅方向）に水平移動させる図示略の本体駆動部と、底板６５を左右方向に水平移動させる図示略の底板駆動部とを有している。入金貯留部６２は、図１に示す貯留案内部６１の鉛直下方が、硬貨収納繰出部８１へ硬貨を放出する収納繰出部放出位置であり、図３に示すように、この収納繰出部放出位置にあって底部を閉塞した状態、つまり装填位置に入金貯留部本体６４及び底板６５が位置する状態で、貯留案内部６１で案内された硬貨を貯留区分部６３ａ〜６３ｇに分類して受け入れる。
【００２７】
すなわち、入金貯留部本体６４が装填位置にあり、底板６５が装填位置にあるとき、入金貯留部６２は、収納繰出部放出位置にあって底部を閉じた状態となり、貯留案内部６１で案内された正常硬貨を正常硬貨貯留部６０に、汚損硬貨を貯留区分部６３ｇに貯留する。つまり、入金貯留部６２は、入金ホッパ３１に入金された正常硬貨を、金種別の貯留区分部６３ａ〜６３ｆに金種別に分けて貯留すると共に、汚損硬貨を貯留区分部６３ｇに貯留する。
【００２８】
硬貨入金部２１は、入金貯留部６２が貯留区分部６３ａ〜６３ｇに分類して貯留している硬貨の落下を案内する収納シュート７１と、収納シュート７１で案内された硬貨を収納する硬貨収納部７０（収納部）とを有している。硬貨収納部７０に落下する硬貨を案内する収納シュート７１は、図４に示すように、入金貯留部６２が底板６５を装填位置に保持した状態のまま入金貯留部本体６４を側方の収納位置に移動させることで貯留区分部６３ａ〜６３ｇから落下する硬貨を、その分類状態のままで移動させる。硬貨収納部７０は、入金貯留部６２が底板６５を装填位置に保持した状態のまま入金貯留部本体６４を側方の収納位置に移動させることで貯留区分部６３ａ〜６３ｇから収納シュート７１に落下する硬貨を、その分類状態のままで収納する。
【００２９】
すなわち、入金貯留部本体６４が収納位置にあり、底板６５が装填位置にあると、入金貯留部６２は、硬貨収納部７０へ硬貨を放出する収納部放出位置にあって底部を開く状態となり、この収納部放出位置において底部が開くことで、正常硬貨貯留部６０に貯留している正常硬貨を収納シュート７１を介して硬貨収納部７０に落下させる。
【００３０】
収納シュート７１は、図３に示すように、貯留区分部６３ａから落下する１円の正常硬貨を案内する専用の案内部７１ａ、貯留区分部６３ｂから落下する５０円の正常硬貨を案内する専用の案内部７１ｂ、貯留区分部６３ｃから落下する５円の正常硬貨を案内する専用の案内部７１ｃ、貯留区分部６３ｄから落下する１００円の正常硬貨を案内する専用の案内部７１ｄ、貯留区分部６３ｅから落下する１０円の正常硬貨を案内する専用の案内部７１ｅ、貯留区分部６３ｆから落下する５００円の正常硬貨を案内する専用の案内部７１ｆが、前側から後側に向けて、この順に直線状に並べられている。
【００３１】
硬貨収納部７０は、貯留区分部６３ａから落下する１円の正常硬貨を収納シュート７１の案内部７１ａを介して間接的に受け入れて収納する専用の収納カセット７０ａ、貯留区分部６３ｂから落下する５０円の正常硬貨を収納シュート７１の案内部７１ｂを介して間接的に受け入れて収納する専用の図示略の収納カセット、貯留区分部６３ｃから落下する５円の正常硬貨を収納シュート７１の案内部７１ｃを介して間接的に受け入れて収納する専用の図示略の収納カセット、貯留区分部６３ｄから落下する１００円の正常硬貨を収納シュート７１の案内部７１ｄを介して間接的に受け入れて収納する専用の図示略の収納カセット、貯留区分部６３ｅから落下する１０円の正常硬貨を収納シュート７１の案内部７１ｅを介して間接的に受け入れて収納する専用の図示略の収納カセット、貯留区分部６３ｆから落下する５００円の正常硬貨を収納シュート７１の案内部７１ｆを介して間接的に受け入れて収納する専用の図示略の収納カセットが、前側から後側に向けて、この順に直線状に並べられている。
【００３２】
収納カセット７０ａの前方には、入金貯留部６２が収納部放出位置で底部を開くことによって貯留区分部６３ｇから落下する汚損硬貨を収納する汚損硬貨収納箱８２ｇ（汚損硬貨収納部）が設けられている。
【００３３】
硬貨収納部７０を構成する収納カセット７０ａを含む金種別の収納カセットは、それぞれが箱状であって、図２に示す装置本体４１のベース筐体４３に対し前方に引き出し可能となるように連結された収納引出部７２に個別に着脱可能に装填されている。硬貨収納部７０を構成する収納カセット７０ａを含む各金種別の収納カセットは、収納引出部７２に装填された後、この収納引出部７２がベース筐体４３に押し込まれると、入金貯留部６２から収納シュート７１を介して落下する硬貨を収納可能となる。また、収納カセット７０ａを含む各金種別の収納カセットは、ベース筐体４３から収納引出部７２が引き出された後、この収納引出部７２から取り外されることで、収納した硬貨が外部に取り出し可能となる。ここで、硬貨収納部７０を構成する収納カセット７０ａを含む各金種別の収納カセットは、収納引出部７２に装填され、収納引出部７２と共にベース筐体４３に装填された状態、つまり硬貨処理装置１０の内部に装填された状態では、硬貨を繰り出すことはなく硬貨の収納のみを行う。すなわち、硬貨収納部７０は硬貨を繰り出し不可に収納する。なお、収納シュート７１及び硬貨収納部７０は、硬貨を金種別に分類せずに、金種混合で一括して案内し収納するものであっても良い。
【００３４】
図５に示すように、硬貨入金部２１は、入金貯留部６２が貯留区分部６３ａ〜６３ｇに分類して貯留している硬貨を外部に取り出し可能に返却する硬貨返却部７５を有している。硬貨返却部７５は、収納シュート７１と左右方向に並んで設けられている。硬貨返却部７５は、入金貯留部６２が底板６５及び入金貯留部本体６４を収納位置に移動させた後に入金貯留部本体６４のみをさらに側方の返却位置に移動させることで貯留区分部６３ａ〜６３ｇから落下する硬貨を、その分類状態のままで収納する。
【００３５】
すなわち、入金貯留部本体６４が返却位置にあり、底板６５が収納位置にあると、入金貯留部６２は、硬貨返却部７５へ硬貨を放出する返却部放出位置にあって底部を開く状態となり、この返却部放出位置において底部が開くことで、正常硬貨貯留部６０に貯留している正常硬貨及び貯留区分部６３ｇに貯留している汚損硬貨を硬貨返却部７５に落下させる。
【００３６】
硬貨返却部７５は、貯留区分部６３ｇから落下する汚損硬貨をシュートを介することなく直接的に受け入れて収納する専用の図３に示す返却区分部７５ｇ、貯留区分部６３ａから落下する１円の正常硬貨をシュートを介することなく直接的に受け入れて収納する専用の返却区分部７５ａ、貯留区分部６３ｂから落下する５０円の正常硬貨をシュートを介することなく直接的に受け入れて収納する専用の返却区分部７５ｂ、貯留区分部６３ｃから落下する５円の正常硬貨をシュートを介することなく直接的に受け入れて収納する専用の返却区分部７５ｃ、貯留区分部６３ｄから落下する１００円の正常硬貨をシュートを介することなく直接的に受け入れて収納する専用の返却区分部７５ｄ、貯留区分部６３ｅから落下する１０円の正常硬貨をシュートを介することなく直接的に受け入れて収納する専用の返却区分部７５ｅ、貯留区分部６３ｆから落下する５００円の正常硬貨をシュートを介することなく直接的に受け入れて収納する専用の返却区分部７５ｆが、前側から後側に向けて、この順に直線状に並べられている。
【００３７】
硬貨返却部７５は、箱状であって返却区分部７５ａ〜７５ｇが一体に設けられている。硬貨返却部７５は、上部ユニット４２から前方に引き出されて取り外される。硬貨返却部７５は、ベース筐体４３に押し込まれた上部ユニット４２に装填された状態で入金貯留部６２からの硬貨を収納し、上部ユニット４２から取り外されることで、収納した硬貨が外部に取り出し可能となる。なお、硬貨返却部７５は、硬貨を金種別に分類せずに、金種混合で一括して収納するものであっても良い。
【００３８】
図３に示す硬貨収納出金部２２は、左右方向に収納シュート７１と並んで設けており、収納シュート７１の硬貨返却部７５とは反対側（右側）に設けられている。硬貨収納出金部２２は、入金貯留部６２が貯留区分部６３ａ〜６３ｆに分類して貯留している硬貨を出金可能に収納する硬貨収納繰出部８１（収納繰出部）を有している。硬貨収納繰出部８１は、図６に示すように、入金貯留部６２が入金貯留部本体６４を装填位置に保持した状態のまま底板６５を側方の収納位置に移動させることで貯留区分部６３ａ〜６３ｆから落下する硬貨を、その分類状態のままで出金可能に収納する。
【００３９】
すなわち、入金貯留部本体６４が装填位置にあり、底板６５が収納位置にあると、入金貯留部６２は、収納繰出部放出位置にあって底部を開く状態となり、この収納繰出部放出位置において底部が開くことで、正常硬貨貯留部６０に貯留している正常硬貨を硬貨収納繰出部８１に落下させる。そして、入金貯留部６２は、左右方向にスライドして、収納繰出部放出位置と収納部放出位置と返却部放出位置とに移動する。
【００４０】
硬貨収納繰出部８１は、貯留区分部６３ａから落下する１円の正常硬貨をシュートを介することなく直接的に受け入れて出金可能に収納する専用の出金ホッパ８１ａ（収納区分部）、貯留区分部６３ｂから落下する５０円の正常硬貨をシュートを介することなく直接的に受け入れて出金可能に収納する専用の出金ホッパ８１ｂ（収納区分部）、貯留区分部６３ｃから落下する５円の正常硬貨をシュートを介することなく直接的に受け入れて出金可能に収納する専用の出金ホッパ８１ｃ（収納区分部）、貯留区分部６３ｄから落下する１００円の正常硬貨をシュートを介することなく直接的に受け入れて出金可能に収納する専用の出金ホッパ８１ｄ（収納区分部）、貯留区分部６３ｅから落下する１０円の正常硬貨をシュートを介することなく直接的に受け入れて出金可能に収納する専用の出金ホッパ８１ｅ（収納区分部）、貯留区分部６３ｆから落下する５００円の正常硬貨をシュートを介することなく直接的に受け入れて出金可能に収納する専用の出金ホッパ８１ｆ（収納区分部）が、前側から後側に向けて、この順に直線状に並べられている。
【００４１】
よって、硬貨収納繰出部８１は、それぞれが単一金種の正常硬貨を繰り出し可能に収納する金種別の出金ホッパ８１ａ〜８１ｆを有しており、入金貯留部６２は、入金ホッパ３１に入金されて金種別の貯留区分部６３ａ〜６３ｆに金種別に分けて貯留している正常硬貨を、収納繰出部放出位置にて底部を開く状態となると、金種別に分けた状態のまま硬貨収納繰出部８１の金種別の出金ホッパ８１ａ〜８１ｆに収納可能となっている。
【００４２】
以上により、入金貯留部６２が図７において右側に破線で示す収納繰出部放出位置にあってその底部を開くことで落下させる硬貨は、シュートを介することなく直接的に硬貨収納繰出部８１に収納されることになる。また、入金貯留部６２が図７において中間に破線で示す収納部放出位置にあってその底部を開くことで落下させる硬貨は、収納シュート７１を介して間接的に硬貨収納部７０に収納されることになる。入金貯留部６２が図７において左側に破線で示す返却部放出位置にあってその底部を開くことで落下させる硬貨は、シュートを介することなく直接的に硬貨返却部７５に収納されることになる。硬貨収納部７０は、収納シュート７１及び硬貨返却部７５の下側にあり、左右方向において、これら収納シュート７１及び硬貨返却部７５の両方に位置を重ねて設けられている。
【００４３】
収納シュート７１は、図８に示すように、上部ユニット４２のユニット底部３００の下面に固定されており、上部ユニット４２の一部を構成している。前方に引き出し可能な硬貨返却部７５は、上部ユニット４２のユニット底部３００の下面側に収納シュート７１と並んで設けられており、上部ユニット４２に引き出し可能に支持されている。上部ユニット４２のユニット底部３００には、収納シュート７１の案内部７１ａと前後方向の位置を合わせて落下口８０ａが、案内部７１ｂと前後方向の位置を合わせて落下口８０ｂが、案内部７１ｃと前後方向の位置を合わせて落下口８０ｃが、案内部７１ｄと前後方向の位置を合わせて落下口８０ｄが、案内部７１ｅと前後方向の位置を合わせて落下口８０ｅが、案内部７１ｆと前後方向の位置を合わせて落下口８０ｆが、それぞれ形成されている。
【００４４】
落下口８０ａ〜８０ｆは、入金貯留部６２が収納繰出部放出位置にあって底部を開く状態になると、貯留区分部６３ａ〜６３ｆから出金ホッパ８１ａ〜８１ｆに向けて落下する硬貨を通過させる。すなわち、落下口８０ａは貯留区分部６３ａから出金ホッパ８１ａに向けて落下する硬貨を、落下口８０ｂは貯留区分部６３ｂから出金ホッパ８１ｂに向けて落下する硬貨を、落下口８０ｃは貯留区分部６３ｃから出金ホッパ８１ｃに向けて落下する硬貨を、落下口８０ｄは貯留区分部６３ｄから出金ホッパ８１ｄに向けて落下する硬貨を、落下口８０ｅは貯留区分部６３ｅから出金ホッパ８１ｅに向けて落下する硬貨を、落下口８０ｆは貯留区分部６３ｆから出金ホッパ８１ｆに向けて落下する硬貨を、それぞれ通過させる。
【００４５】
上部ユニット４２のユニット底部３００には、落下口８０ａの前方に、入金貯留部６２が収納繰出部放出位置にあって底部を開く状態になると、貯留区分部６３ｇから落下する汚損硬貨を通過させる収納繰出部側汚損硬貨落下口８０ｇが、落下口８０ａ〜８０ｆと左右方向の位置を重ね合わせて設けられている。収納シュート７１の前方は、空間部８７となっており、上部ユニット４２のユニット底部３００には、この空間部８７の位置に、入金貯留部６２が収納部放出位置にあって底部を開く状態になると、貯留区分部６３ｇから落下する汚損硬貨を通過させる収納部側汚損硬貨落下口８８ｇが、収納シュート７１と左右方向の位置を重ね合わせて設けられている。
【００４６】
図６に示すように、出金ホッパ８１ａの前方には、入金貯留部６２が収納繰出部放出位置で底部を開くこと、つまり入金貯留部本体６４を装填位置に保持した状態のまま底板６５を側方の収納位置に移動させることで貯留区分部６３ｇから落下する汚損硬貨を、シュートを介することなく直接的に受け入れて全金種一括で収納する上記した汚損硬貨収納箱８２ｇが設けられている。出金ホッパ８１ｆの出金ホッパ８１ｅとは反対側には精査ホッパ８３ｈが設けられている。
【００４７】
硬貨収納繰出部８１を構成する出金ホッパ８１ａ〜８１ｆと、精査ホッパ８３ｈとは、図９及び図１０に示すように、装置本体４１のベース筐体４３に対し前方に引き出し可能となるように連結された出金繰出引出部８５（引出部）に組み込まれている。汚損硬貨収納箱８２ｇは、この出金繰出引出部８５の出金繰出引出部本体８６に、着脱可能に設けられている。出金繰出引出部本体８６に組み込まれた出金ホッパ８１ａ〜８１ｆ及び出金繰出引出部本体８６に装着された状態の汚損硬貨収納箱８２ｇは、出金繰出引出部８５がベース筐体４３に押し込まれると、ベース筐体４３に押し込まれた状態の上部ユニット４２に設けられた入金貯留部６２の貯留区分部６３ａ〜６３ｇから落下する硬貨を収納可能となる。
【００４８】
汚損硬貨収納箱８２ｇは、出金繰出引出部本体８６にセットされ、出金繰出引出部本体８６と共にベース筐体４３に装填された状態、つまり硬貨処理装置１０の内部に装填された状態では、硬貨を繰り出すことはなく硬貨の収納のみを行う。つまり、汚損硬貨収納箱８２ｇは硬貨を繰り出し不可に収納する。
【００４９】
硬貨処理部１１は、出金繰出引出部８５、上部ユニット４２、ベース筐体４３及び収納引出部７２を本体部９０とすると、出金繰出引出部８５は、上部ユニット４２と、収納引出部７２とをベース筐体４３に押し込んだ基本状態の本体部９０に対して前方に引き出し可能となっている。すなわち、出金繰出引出部８５は、入金貯留部６２及び収納シュート７１を含む上部ユニット４２と硬貨収納部７０が設けられた収納引出部７２とを含む本体部９０に対して引き出し可能となっており、この出金繰出引出部８５に、硬貨収納繰出部８１の出金ホッパ８１ａ〜８１ｆと、汚損硬貨収納箱８２ｇとが設けられている。
【００５０】
基本状態にある本体部９０に対する出金繰出引出部８５の引き出し及び押し込み方向は、前後方向であり、基本状態にある本体部９０に対する出金繰出引出部８５の引き出し方向に直交する横方向は、左右方向である。
【００５１】
ここで、出金繰出引出部８５の本体部９０に対する引き出し方向を基準とすると、入金貯留部６２は、正常硬貨を貯留する正常硬貨貯留部６０及び汚損硬貨を貯留する貯留区分部６３ｇが出金繰出引出部８５の引き出し方向に並んで設けられており、この引き出し方向に直交する横方向に移動可能となっている。硬貨収納部７０及び硬貨収納繰出部８１は、出金繰出引出部８５の引き出し方向に直交する横方向に並んで設けられている。正常硬貨貯留部６０には、単一金種の硬貨をそれぞれ貯留する金種別の貯留区分部６３ａ〜６３ｆが出金繰出引出部８５の引き出し方向に並んで設けられている。硬貨収納繰出部８１には、単一金種の硬貨をそれぞれ収納する金種別の出金ホッパ８１ａ〜８１ｆが出金繰出引出部８５の引き出し方向に並んで設けられている。
【００５２】
出金繰出引出部本体８６にセットされた状態で出金繰出引出部本体８６と共に本体部９０に押し込まれると、汚損硬貨収納箱８２ｇは、入金貯留部６２が収納繰出部放出位置で底部を開くことによって貯留区分部６３ｇから落下する汚損硬貨を、シュートを介することなく直接的に受け入れて全金種一括で収納すると共に、入金貯留部６２が収納部放出位置で底部を開くことによって貯留区分部６３ｇから落下する汚損硬貨をも、シュートを介することなく直接的に受け入れて全金種一括で収納する。つまり、汚損硬貨収納箱８２ｇは、入金貯留部６２が収納繰出部放出位置及び収納部放出位置の何れにあっても、汚損硬貨を貯留する貯留区分部６３ｇから底部が開くことで落下する汚損硬貨を一括で収納する。
【００５３】
このため、汚損硬貨収納箱８２ｇは、左右方向、つまり出金繰出引出部８５の引き出し方向に直交する横方向において、図７に示すように、収納シュート７１及び硬貨収納繰出部８１の両方に跨がる範囲に設けられている。詳しくは、汚損硬貨収納箱８２ｇは、左右方向及び高さ方向の両方において硬貨収納部７０、収納シュート７１及び硬貨収納繰出部８１に位置を重ね合わせている。そして、出金繰出引出部８５の引き出し方向に見て、汚損硬貨収納箱８２ｇは、収納シュート７１及び硬貨収納繰出部８１の両方に重なる一方、硬貨収納部７０には全く重ならない。
【００５４】
汚損硬貨収納箱８２ｇは、図１１及び図１２に示すように、一体である。言い換えれば、汚損硬貨収納箱８２ｇは、硬貨処理装置１０にセットされた状態においては常に一部品の状態が維持され複数部品に分離されることはない。汚損硬貨収納箱８２ｇは、左右方向の幅が広く前後方向の厚さが薄い有底筒状をなしている。
【００５５】
汚損硬貨収納箱８２ｇは、図７に示すように、上部が、左右方向において収納シュート７１及び硬貨収納繰出部８１の両方に跨がる範囲に設けられる四角筒状の幅広部３０１となっており、下部が、幅広部３０１よりも左右方向の幅が狭い幅狭部３０２となっている。汚損硬貨収納箱８２ｇは、上下方向の中間部が、幅広部３０１と幅狭部３０２とを繋ぐように下側ほど幅が狭くなる窄状部３０３となっている。幅狭部３０２は、左右方向において幅広部３０１の一端側の下方に設けられており、よって、汚損硬貨収納箱８２ｇは、略Ｌ字状の一体物となっている。幅狭部３０２は、左右方向において硬貨収納部７０及び硬貨収納繰出部８１のうちの硬貨収納繰出部８１の範囲のみに設けられている。
【００５６】
汚損硬貨収納箱８２ｇは、図１１及び図１２に示すように、幅広部３０１の上端部が上方に向け開口する開口部３０５となっており、幅狭部３０２の下端部が閉塞された底部３０６となっている。そして、図７に示すように、出金繰出引出部８５の引き出し方向に見て、汚損硬貨収納箱８２ｇは、幅広部３０１及び窄状部３０３が硬貨収納部７０には重ならずに収納シュート７１及び硬貨収納繰出部８１の両方に重なる一方、幅狭部３０２は硬貨収納部７０及び収納シュート７１の何れにも重ならずに硬貨収納繰出部８１に重なる。
【００５７】
幅広部３０１の上端部の左右方向の中間部には、図１１及び図１２に示すように、開口部３０５を前後方向に横断する補強部３１０が設けられている。補強部３１０は、幅広部３０１の前後方向の変形を規制する。補強部３１０は、左右方向において、上部ユニット４２のユニット底部３００に形成された収納繰出部側汚損硬貨落下口８０ｇと収納部側汚損硬貨落下口８８ｇとの間に配置されている。
【００５８】
ここで、収納シュート７１及び硬貨収納繰出部８１の両方に跨がる範囲に設けられた一体の汚損硬貨収納箱８２ｇが、収納シュート７１及び硬貨収納部７０が設けられた基本状態にある本体部９０に対して引き出し可能な出金繰出引出部８５に、硬貨収納繰出部８１と共に設けられている。そして、収納シュート７１及び硬貨収納繰出部８１の両方に跨がる範囲に設けられた一体の汚損硬貨収納箱８２ｇは、収納シュート７１及び硬貨収納繰出部８１に対し、出金繰出引出部８５の引き出し方向の手前側に設けられることで、複数部品に分離されることなく、硬貨収納部７０及び収納シュート７１が設けられた基本状態にある本体部９０からの出金繰出引出部８５の引き出しを可能としている。また、幅狭部３０２が、左右方向において硬貨収納部７０及び硬貨収納繰出部８１のうちの一方である硬貨収納繰出部８１側に偏って設けられているため、硬貨収納部７０側には汚損硬貨収納箱８２ｇの下部が存在せず、これにより、出金繰出引出部８５を基本状態にある本体部９０に押し込んだ状態で、本体部９０の硬貨収納部７０を含む収納引出部７２の引き出しが可能となる。
【００５９】
汚損硬貨収納箱８２ｇは、出金繰出引出部８５が、収納シュート７１が設けられた基本状態にある本体部９０に押し込まれた状態では、上部ユニット４２の図８に示す収納シュート７１の前方の空間部８７に配置される。この状態で、収納繰出部側汚損硬貨落下口８０ｇ及び収納部側汚損硬貨落下口８８ｇの下側のこれら両方を水平方向において覆う範囲に、上部の開口部３０５が配置される。これにより、汚損硬貨収納箱８２ｇは、入金貯留部６２が収納繰出部放出位置にて底部を開くことで貯留区分部６３ｇから落下し収納繰出部側汚損硬貨落下口８０ｇを通過する硬貨と、入金貯留部６２が収納部放出位置にて底部を開くことで貯留区分部６３ｇから落下し収納部側汚損硬貨落下口８８ｇを通過する硬貨とを開口部３０５から受け入れて収納する。また、汚損硬貨収納箱８２ｇは、ベース筐体４３から出金繰出引出部８５が引き出された後、出金繰出引出部本体８６から取り外されることで、収納した汚損硬貨が外部に取り出し可能となる。
【００６０】
汚損硬貨収納箱８２ｇは、出金繰出引出部８５が基本状態にある本体部９０から引き出されると、出金繰出引出部本体８６と共に引き出されることになり、出金繰出引出部８５が基本状態にある本体部９０に収容されると、開口部３０５が、基本状態にある本体部９０のユニット底部３００に形成された収納繰出部側汚損硬貨落下口８０ｇ及び収納部側汚損硬貨落下口８８ｇを覆うように下方に配置されることになる。これにより、出金繰出引出部８５が基本状態にある本体部９０から引き出し可能でありながらも、収納繰出部放出位置及び収納部放出位置の何れの位置から入金貯留部６２によって汚損硬貨が放出されても、放出された汚損硬貨を出金繰出引出部８５の汚損硬貨収納箱８２ｇに確実に収納することができる。
【００６１】
出金ホッパ８１ａは、図６に示すように、収納している硬貨を下部の計数繰出部９１ａで計数を行って繰り出し、出金ホッパ８１ｂは、収納している硬貨を下部の計数繰出部９１ｂで同様に繰り出し、出金ホッパ８１ｃは、収納している硬貨を下部の計数繰出部９１ｃで同様に繰り出し、出金ホッパ８１ｄは、収納している硬貨を下部の計数繰出部９１ｄで同様に繰り出し、出金ホッパ８１ｅは、収納している硬貨を下部の計数繰出部９１ｅで同様に繰り出し、出金ホッパ８１ｆは、収納している硬貨を下部の計数繰出部９１ｆで同様に繰り出す。精査ホッパ８３ｈは、収納している硬貨を下部の識別計数繰出部９３ｈで金種を識別し計数して繰り出す。
【００６２】
出金ホッパ８１ａ〜８１ｆを有する硬貨収納繰出部８１は、正常硬貨を収納すると共に、収納している正常硬貨を繰り出し可能に構成される。収納カセット７０ａ等を有する硬貨収納部７０は、硬貨収納繰出部８１とは別に設けられて正常硬貨を収納する。入金貯留部６２は、硬貨を貯留すると共に貯留している硬貨の収納先を硬貨収納繰出部８１と硬貨収納部７０と硬貨返却部７５とに選択的に切り替える。入金貯留部６２は、収納先を硬貨収納繰出部８１とした場合に、貯留している硬貨を金種別に分けて金種別の出金ホッパ８１ａ〜８１ｆに収納する。
【００６３】
硬貨収納出金部２２は、図１に示すように、出金ホッパ８１ａ〜８１ｆ及び精査ホッパ８３ｈから計数しつつ繰り出された硬貨を搬送する硬貨出金搬送部１０１と、硬貨出金搬送部１０１で搬送されてきた硬貨を収納する硬貨出金部１０２（出金部）と、硬貨出金部１０２に収納されている硬貨を案内する出金リジェクト案内部１０３と、出金リジェクト案内部１０３で硬貨出金部１０２から案内された硬貨を収納する出金リジェクト部１０４とを有している。
【００６４】
硬貨出金部１０２は、箱状であって、図２に示す装置本体４１の収納引出部７２から前方に引き出されて収納引出部７２から取り外される。硬貨出金部１０２は、ベース筐体４３に対し押し込まれた収納引出部７２に装填された状態で硬貨を収納し、収納引出部７２から取り外されることで、収納した硬貨が外部に取り出し可能となる。
【００６５】
出金リジェクト部１０４は、箱状であって、収納引出部７２から前方に引き出されて収納引出部７２から取り外される。出金リジェクト部１０４は、ベース筐体４３に対し押し込まれた収納引出部７２に装填された状態で、出金リジェクト案内部１０３で硬貨出金部１０２から案内された硬貨を収納し、収納引出部７２から取り外されることで、収納した硬貨が外部に取り出し可能となる。
【００６６】
図３に示すように、出金ホッパ８１ａ〜８１ｆの計数繰出部９１ａ〜９１ｆ及び精査ホッパ８３ｈの識別計数繰出部９３ｈは前後方向に直線状に並んで配置されており、これらの硬貨繰り出し方向の前方に、硬貨出金搬送部１０１を構成する繰出側搬送路１１１が設けられている。また、硬貨出金搬送部１０１は、この繰出側搬送路１１１の精査ホッパ８３ｈとは反対側の端部から硬貨を受け取って、繰出側搬送路１１１に垂直な左右方向に搬送する出金側搬送路１１２を有している。この出金側搬送路１１２は、繰出側搬送路１１１から汚損硬貨収納箱８２ｇの方向に延びている。
【００６７】
硬貨出金搬送部１０１は、出金側搬送路１１２の繰出側搬送路１１１とは反対側の端部に、出金側搬送路１１２で搬送中の硬貨の重なりを崩すローラ１１３を有しており、出金側搬送路１１２の繰出側搬送路１１１とは反対側に、出金側搬送路１１２とローラ１１３との間を通過して出金側搬送路１１２から一枚ずつ繰り出される硬貨を金種識別を行って計数する出金識別計数部１１４を有している。この出金識別計数部１１４の識別結果に基づいて、硬貨出金部１０２に出金すべき硬貨を収納させたり、硬貨出金部１０２の出金に適さない硬貨をさらに出金リジェクト案内部１０３で出金リジェクト部１０４に収納させたりする。
【００６８】
出金側搬送路１１２と汚損硬貨収納箱８２ｇとの間には、出金側搬送路１１２と平行に戻入下搬送路１２１が設けられており、出金側搬送路１１２と戻入下搬送路１２１との間には、出金側搬送路１１２で繰出側搬送路１１１から出金識別計数部１１４に向けて搬送中の硬貨を、出金側搬送路１１２側に揺動することで戻入下搬送路１２１に移動させる揺動可能な精査ゲート１２２が設けられている。戻入下搬送路１２１には硬貨の残留を検出する図示略の残留検知センサが設けられている。戻入下搬送路１２１の上側には、戻入下搬送路１２１で搬送されてきた硬貨を上方に搬送する戻入縦搬送路１２３が設けられている。戻入縦搬送路１２３には末端位置に硬貨を計数する図示略の計数センサが設けられている。この計数センサは硬貨の金種識別は行わずに計数のみを行う。
【００６９】
繰出側搬送路１１１の上方には、これと平行に戻入上搬送路１２５が設けられており、戻入上搬送路１２５は戻入縦搬送路１２３から硬貨を受け取って搬送する。戻入上搬送路１２５の出金ホッパ８１ａ〜８１ｆとは反対側には、戻入上搬送路１２５で搬送中の硬貨を出金ホッパ８１ａ〜８１ｆ及び精査ホッパ８３ｈに振り分ける揺動可能な戻入ゲート１２６ａ〜１２６ｆが設けられている。
【００７０】
戻入ゲート１２６ａは出金ホッパ８１ａ側に揺動することで硬貨を出金ホッパ８１ａに収納し、戻入ゲート１２６ｂは出金ホッパ８１ｂ側に揺動することで硬貨を出金ホッパ８１ｂに収納し、戻入ゲート１２６ｃは出金ホッパ８１ｃ側に揺動することで硬貨を出金ホッパ８１ｃに収納し、戻入ゲート１２６ｄは出金ホッパ８１ｄ側に揺動することで硬貨を出金ホッパ８１ｄに収納し、戻入ゲート１２６ｅは出金ホッパ８１ｅ側に揺動することで硬貨を出金ホッパ８１ｅに収納し、戻入ゲート１２６ｆは出金ホッパ８１ｆ側に揺動することで硬貨を出金ホッパ８１ｆに収納する。戻入上搬送路１２５は、戻入ゲート１２６ａ〜１２６ｆで出金ホッパ８１ａ〜８１ｆに収納されなかった硬貨を末端位置から精査ホッパ８３ｈに収納する。戻入上搬送路１２５には硬貨の残留を検出する図示略の残留検知センサが設けられている。
【００７１】
ここで、出金ホッパ８１ａ〜８１ｆの硬貨量を精査する精査処理時には、例えば、出金ホッパ８１ａの硬貨を、計数繰出部９１ａで繰出側搬送路１１１に繰り出して、繰出側搬送路１１１及び出金側搬送路１１２で搬送し、精査ゲート１２２で出金側搬送路１１２から戻入下搬送路１２１に移動させて、戻入下搬送路１２１、戻入縦搬送路１２３及び戻入上搬送路１２５で精査ホッパ８３ｈに収納させる。このようにして、出金ホッパ８１ａに収納されていた硬貨を全て精査ホッパ８３ｈに移動させて出金ホッパ８１ａを空にする。その後、精査ホッパ８３ｈから硬貨を識別計数繰出部９３ｈで識別しつつ計数して繰出側搬送路１１１に繰り出して、繰出側搬送路１１１及び出金側搬送路１１２で搬送し、精査ゲート１２２で出金側搬送路１１２から戻入下搬送路１２１に移動させて、戻入下搬送路１２１、戻入縦搬送路１２３及び戻入上搬送路１２５で搬送し、戻入ゲート１２６ａで出金ホッパ８１ａに戻す。これにより、出金ホッパ８１ａ内の硬貨量を確定する。出金ホッパ８１ｂ〜８１ｆについても同様にして硬貨量を確定する。
【００７２】
繰出側搬送路１１１の中間位置には、小径側の３金種の硬貨を収納する出金ホッパ８１ａ〜８１ｃから計数繰出部９１ａ〜９１ｃで繰り出されて繰出側搬送路１１１で搬送される硬貨を、硬貨収納繰出部８１側に揺動することで図１に示す棒金処理部１２側に繰り出す小径側中間ゲート１３１と、大径側の３金種の硬貨を収納する出金ホッパ８１ｄ〜８１ｆから計数繰出部９１ｄ〜９１ｆで繰り出されて繰出側搬送路１１１で搬送される硬貨を、硬貨収納繰出部８１側に揺動することで棒金処理部１２側に繰り出す大径側中間ゲート１３２とが設けられている。大径側中間ゲート１３２は、精査ホッパ８３ｈから識別計数繰出部９３ｈで繰り出されて繰出側搬送路１１１で搬送される硬貨を、硬貨収納繰出部８１側に揺動することで棒金処理部１２側に繰り出す。
【００７３】
出金繰出引出部８５は、スライドレール（不図示）によって、本体部９０のベース筐体４３に引き出し及び押し込み可能に支持されているが、ベース筐体４３から抜け落ちないように引き出し方向の図１０に示す最大引き出し位置を超える移動が規制されている。
【００７４】
また、出金繰出引出部８５は、特定の権限が無い者が本体部９０から引き出そうとすると、図１３に示すように、所定の規制位置まで、ここでは汚損硬貨収納箱８２ｇを外部に露出させる位置までしか引き出せないようになっている。
【００７５】
図１４及び図１５に示すように、出金繰出引出部８５の出金繰出引出部本体８６の右側面部に、前後方向に間隔を開けて、何れもブロック等からなる前側係合部３１３及び後側係合部３１４が設けられている。また、ベース筐体４３の出金繰出引出部本体８６の右側面部に対向する位置にソレノイド等のロック機構３１５が設けられている。
【００７６】
図１４に示すように、出金繰出引出部８５がベース筐体４３に最も押し込まれた状態で、ロック機構３１５のロックピン３１６が前側係合部３１３に前側で係合する。これにより、出金繰出引出部８５のベース筐体４３からの引き出しが規制される。
【００７７】
また、出金繰出引出部８５がベース筐体４３に対し、基本状態にある本体部９０から出金ホッパ８１ａ〜８１ｆを突出させずに汚損硬貨収納箱８２ｇを突出させる位置まで引き出されると、図１５に示すように、ロック機構３１５のロックピン３１６が後側係合部３１４に前側で係合する。この状態では、図１３に示すように、基本状態にある本体部９０から汚損硬貨収納箱８２ｇを突出させる位置までしか出金繰出引出部８５が引き出せないようになっている。
【００７８】
制御部１４１は、例えば、読み取ったＩＣカード等の情報から使用者及び所有する権限などを判断し、操作権限は持っているが出金繰出引出部８５の完全開放の権限は持っていない者であると判断した場合、操作部で出金繰出引出部８５の開放操作が行われると、先ず、ロック機構３１５をオンしてロックピン３１６を引き込み、前側係合部３１３とロックピン３１６との係合を解除する。次いで、この状態のまま出金繰出引出部８５が引き出されて、前側係合部３１３と後側係合部３１４との間にロックピン３１６があることを第１の開閉検知センサ（不図示）が検知すると、制御部１４１は、ロック機構３１５をオフにして、ロックピン３１６を押し出す。すると、この状態のまま出金繰出引出部８５が引き出されても、図１５に示すように、後側係合部３１４とロックピン３１６とが係合して、それ以上の出金繰出引出部８５の引き出しが規制される。すなわち、出金繰出引出部８５の基本状態にある本体部９０に対する引き出し可能な範囲が、基本状態にある本体部９０から硬貨収納繰出部８１を突出させずに汚損硬貨収納箱８２ｇを突出させる範囲となる。
【００７９】
従って、図１３及び図１５に示すように、硬貨収納繰出部８１を基本状態にある本体部９０から外部に突出させることなく、汚損硬貨収納箱８２ｇだけを基本状態にある本体部９０から外部に突出させることができ、例えば、硬貨収納繰出部８１の出金ホッパ８１ａ〜８１ｆのセキュリティを確保した上で、汚損硬貨収納箱８２ｇを着脱することができる。
【００８０】
次いで、硬貨収納繰出部８１をベース筐体４３に収容するなどのために、出金繰出引出部８５がベース筐体４３側に押し込まれて、第１の開閉検知センサが押し込みを検知すると、制御部１４１は、ロック機構３１５をオンにしてロックピン３１６を引き込む。そして、出金繰出引出部８５がベース筐体４３に完全に収容されて、それをベース筐体４３の後部などに設けられた第２の開閉検知センサ（不図示）が検知すると、制御部１４１は、ロック機構３１５をオフにしてロックピン３１６を押し出し、図１４に示すように、前側係合部３１３とロックピン３１６とを係合させて、出金繰出引出部８５をベース筐体４３にロックする。これにより、出金繰出引出部８５は基本状態にある本体部９０と前面位置を合わせる状態になる。
【００８１】
また、制御部１４１は、使用者が完全開放の権限を持っている者であると判断した場合、ロック機構３１５をオンしてロックピン３１６を引き込み、前側係合部３１３とロックピン３１６との係合を解除すると、出金繰出引出部８５の引き出しを第１の開閉検知センサ（不図示）で検知した後も、ロックピン３１６を引き込んだ状態を維持する。その結果、出金繰出引出部８５を、スライドレールによって規制されるまで、ベース筐体４３から引き出すことができる。すなわち、出金繰出引出部８５の基本状態にある本体部９０に対する引き出し可能な範囲が、図１０に示すように、基本状態にある本体部９０から硬貨収納繰出部８１の出金ホッパ８１ａ〜８１ｆ、精査ホッパ８３ｈ及び汚損硬貨収納箱８２ｇを突出させる範囲となる。
【００８２】
次いで、硬貨収納繰出部８１をベース筐体４３に収容するなどのために、出金繰出引出部８５がベース筐体４３側に押し込まれて、ベース筐体４３に完全に収容されて、それをベース筐体４３の後部などに設けられた第２の開閉検知センサ（不図示）が検知すると、制御部１４１は、ロック機構３１５をオフにしてロックピン３１６を押し出し、図１４に示すように、前側係合部３１３とロックピン３１６とを係合させて、硬貨収納繰出部８１をベース筐体４３にロックする。
【００８３】
よって、出金繰出引出部８５の基本状態にある本体部９０に対する引き出し可能な範囲が、基本状態にある本体部９０から硬貨収納繰出部８１を突出させずに汚損硬貨収納箱８２ｇを突出させる範囲と、基本状態にある本体部９０から硬貨収納繰出部８１及び汚損硬貨収納箱８２ｇを突出させる範囲とに切り替え可能となっている。
【００８４】
［棒金処理部１２］
棒金処理部１２は、図１に示すように、硬貨収納出金部２２から硬貨を受け入れて包装し棒金とする包装処理を行う包装部２０１と、包装部２０１で作製した棒金を収納する棒金収納部２０２と、包装部２０１及び棒金収納部２０２から棒金を受け入れて外部に取り出し可能に出金する棒金出金部２０３とを有している。
【００８５】
包装部２０１は、硬貨収納出金部２２の出金ホッパ８１ａ〜８１ｆの何れか一金種用の出金ホッパから計数繰出部９１ａ〜９１ｆの対応するもので繰り出され、繰出側搬送路１１１と、小径側中間ゲート１３１或いは大径側中間ゲート１３２とで棒金処理部１２に搬送されてきた硬貨を受け取って包装する。また、包装部２０１は、精査ホッパ８３ｈから識別計数繰出部９３ｈで繰り出され、繰出側搬送路１１１と大径側中間ゲート１３２とで棒金処理部１２に搬送されてきた硬貨を受け取って包装する。また、包装部２０１は、入金ホッパ３１から繰り出され、包装案内部５５で棒金処理部１２に案内されてきた硬貨を受け取って包装する。
【００８６】
ここで、硬貨処理装置１０は、出金ホッパ８１ａ〜８１ｆの何れかの硬貨量が所定量であるニアフル値を超えると、自動包装処理を行うことになる。この自動包装処理では、出金ホッパ８１ａ〜８１ｆのうちの硬貨量がニアフル値を超えたものから計数繰出部９１ａ〜９１ｆの対応するもので硬貨を繰り出す繰出処理を行い、この繰出処理で繰り出され、繰出側搬送路１１１と、小径側中間ゲート１３１或いは大径側中間ゲート１３２とで棒金処理部１２に搬送されてきた硬貨を包装部２０１で受け取って包装する。
【００８７】
また、硬貨処理装置１０は、入金ホッパ３１に投入された硬貨を包装するローカル包装処理において、入金ホッパ３１に投入された硬貨から指定された金種以外の硬貨を入金リジェクト案内部３４で入金リジェクト部３５に案内する一方、指定された金種の硬貨を包装案内部５５で棒金処理部１２に案内することになり、包装部２０１は、このように包装案内部５５で案内された硬貨を受け取って包装する。
【００８８】
包装部２０１は、硬貨処理部１１側にあって、硬貨処理部１１から硬貨を受け入れると共に、受け入れた硬貨を、金種識別しつつ計数して包装単位枚数（５０枚）ずつ繰り出す硬貨識別計数部２１１と、硬貨識別計数部２１１から繰り出された包装単位枚数の硬貨を集積させて紙或いは樹脂フィルムからなる包装紙を巻き回し、この包装紙を切断した後、集積方向に両側の包装紙の余長部分を内側に丸めるように加締めることにより棒金とする硬貨集積包装部２１２とを有している。
【００８９】
包装部２０１は、硬貨集積包装部２１２で作製されて下方に繰り出された棒金を３方向に振り分けて搬送する棒金振分搬送部２１３と、棒金振分搬送部２１３で第１の方向に振り分けられた棒金を収納する自動時端数棒金収納部２１４と、棒金振分搬送部２１３で第２の方向に振り分けられた棒金を収納するローカル時端数棒金収納部２１５とを有している。自動時端数棒金収納部２１４は、自動包装処理において、包装単位枚数に満たない数の硬貨を包装した端数棒金を収納することになり、ローカル時端数棒金収納部２１５は、ローカル包装処理において、包装単位枚数に満たない数の硬貨を包装した端数棒金を収納することになる。
【００９０】
自動時端数棒金収納部２１４及びローカル時端数棒金収納部２１５は、何れも箱状であって、装置本体４１から前方に引き出されて取り外される。自動時端数棒金収納部２１４及びローカル時端数棒金収納部２１５は、何れも装置本体４１に装填された状態で、棒金振分搬送部２１３により振り分けられた端数棒金を収納し、装置本体４１から取り外されることで、収納した端数棒金が外部に取り出し可能となる。
【００９１】
棒金出金部２０３は、棒金振分搬送部２１３で硬貨処理部１１とは反対の第３の方向に振り分けられた棒金を受け取って昇降搬送する棒金出金リフト２２１を有している。棒金振分搬送部２１３で第３の方向に振り分けられる棒金は、端数棒金以外の棒金つまり包装単位枚数の硬貨を包装して作製した正常棒金である。棒金出金部２０３は、棒金出金リフト２２１で搬送されてきた棒金を外部に放出する下部棒金放出口２２２と、棒金出金リフト２２１で搬送されてきた棒金を受け取って外部に取り出し可能に収納する上部棒金出金口２２３と、棒金出金リフト２２１で搬送されてきた棒金を外部に取り出し可能に収納する棒金一括収納部２２４とを有している。
【００９２】
下部棒金放出口２２２は、外部に臨んで設けられており、棒金出金リフト２２１から受け取った棒金を図示略の受箱に向けて放出する。上部棒金出金口２２３は、外部に臨んで設けられており、棒金出金リフト２２１から受け取った棒金を外部に取り出し可能に収納する。棒金一括収納部２２４は、箱状であって、装置本体４１から引き出されて取り外される。棒金一括収納部２２４は、装置本体４１に装填された状態で、棒金出金リフト２２１から受け取った棒金を収納し、装置本体４１から取り外されることで、収納した棒金が外部に取り出し可能となる。
【００９３】
棒金収納部２０２は、棒金出金リフト２２１で搬送されてきた棒金を受け取って硬貨処理部１１の方向に搬送する棒金収納搬送部２３１と、棒金収納搬送部２３１から棒金を受け取って上方に搬送する棒金収納リフト２３２と、棒金収納リフト２３２で搬送されてきた棒金を受け取って金種別に分類して収納する棒金収納本体部２３３と、棒金収納本体部２３３から金種別に棒金を計数しつつ棒金出金リフト２２１に繰り出す棒金繰出部２３４とを有している。棒金出金リフト２２１は、棒金繰出部２３４で棒金収納本体部２３３から繰り出された棒金を受け取って、上部棒金出金口２２３及び棒金一括収納部２２４に振り分ける。
【００９４】
硬貨処理装置１０は、入金ホッパ３１の図示略のシャッタを閉じ、入金貯留部６２を空の状態でその入金貯留部本体６４及び底板６５の両方を図３に示す装填位置に位置させた状態、つまり入金貯留部６２を収納繰出部放出位置で底部を閉塞させた状態が待機状態となっている。また、この待機状態では、精査ゲート１２２を、出金側搬送路１１２で繰出側搬送路１１１からの硬貨を出金識別計数部１１４に搬送する状態としている。
【００９５】
「入金処理」
図示略の操作部に入金処理実行の操作入力がなされると、制御部１４１は、入金ホッパ３１の図示略のシャッタを開く。入金ホッパ３１内に硬貨が投入されたことを図示略のセンサで検出すると、制御部１４１は、入金ホッパ３１のシャッタを閉じ、入金ホッパ３１によって硬貨を一枚ずつ分離した状態で入金搬送部３３に繰り出し、入金搬送部３３で搬送しながら、入金識別計数部３２で真偽、金種及び正損を識別して計数する。そして、入金識別計数部３２で偽つまり受け入れ不可と識別された硬貨を入金リジェクト案内部３４で入金搬送部３３から案内して入金リジェクト部３５に収納する。他方、入金識別計数部３２で受け入れ可能と識別された硬貨を貯留案内部６１で入金搬送部３３から案内して、収納繰出部放出位置にあって底部を閉塞した状態の入金貯留部６２に分類して貯留させる。入金貯留部６２は、貯留区分部６３ｇに全金種の汚損硬貨を、貯留区分部６３ａに１円の正常硬貨を、貯留区分部６３ｂに５０円の正常硬貨を、貯留区分部６３ｃに５円の正常硬貨を、貯留区分部６３ｄに１００円の正常硬貨を、貯留区分部６３ｅに１０円の正常硬貨を、貯留区分部６３ｆに５００円の正常硬貨を、それぞれ貯留することになる。
【００９６】
そして、入金ホッパ３１内にあった全ての硬貨が入金リジェクト部３５或いは入金貯留部６２に至ったと判定すると、制御部１４１は、入金識別計数部３２の識別結果から、受け入れ可能な入金硬貨の金種別の枚数データを図示略の表示部に表示させると共に、図示略の操作部に了解操作及びキャンセル操作の何れか一方の選択入力を受け付ける状態になって入金処理を終了する。
【００９７】
「入金収納処理」
入金処理後、操作部に了解操作が入力されると、制御部１４１は、硬貨収納繰出部８１が硬貨を繰り出す繰出処理を行っているか否かを判定する。硬貨収納繰出部８１が硬貨を繰り出す繰出処理を行っている場合、制御部１４１は、硬貨収納繰出部８１への硬貨の収納処理を禁止する状態になっている。このため、制御部１４１は、入金貯留部６２を、図４に示すように、収納部放出位置で底部を開放した状態とし、貯留区分部６３ａ〜６３ｇから落下する硬貨をその分類状態のままで硬貨収納部７０に収納する収納部収納処理を行う。
【００９８】
この収納部収納処理によって、貯留区分部６３ｇから落下する汚損硬貨を汚損硬貨収納箱８２ｇが収納し、貯留区分部６３ａから落下する１円の正常硬貨を収納カセット７０ａが収納し、貯留区分部６３ｂから落下する５０円の正常硬貨を図示略の収納カセットが収納し、貯留区分部６３ｃから落下する５円の正常硬貨を図示略の収納カセットが収納し、貯留区分部６３ｄから落下する１００円の正常硬貨を図示略の収納カセットが収納し、貯留区分部６３ｅから落下する１０円の正常硬貨を図示略の収納カセットが収納し、貯留区分部６３ｆから落下する５００円の正常硬貨を図示略の収納カセットが収納する。その後、制御部１４１は、入金貯留部本体６４を図３に示す装填位置に戻して、収納部収納処理すなわち入金収納処理を終了する。
【００９９】
つまり、硬貨収納繰出部８１の繰出処理中に、入金貯留部６２に貯留している硬貨を硬貨収納繰出部８１に収納すると、硬貨収納繰出部８１の繰出処理で繰り出しジャムが発生する可能性が高くなることから、繰り出しジャムの発生を抑制するために、硬貨収納繰出部８１の繰出処理中は、入金貯留部６２に貯留している硬貨を、その分類状態のまま、硬貨収納繰出部８１とは別の硬貨収納部７０に収納する。
【０１００】
入金処理後、操作部に了解操作が入力された時点で、硬貨収納繰出部８１が硬貨を繰り出す繰出処理を行っていなければ、制御部１４１は、入金貯留部６２の金種別の貯留区分部６３ａ〜６３ｆに貯留している硬貨量と、硬貨収納繰出部８１の金種別の出金ホッパ８１ａ〜８１ｆに収納している硬貨量とを、金種別に加算して金種別の合計値を割り出す。また、貯留区分部６３ｇに貯留している汚損硬貨の硬貨量と、汚損硬貨収納箱８２ｇに貯留している硬貨量とを加算して汚損硬貨の合計値を割り出す。そして、制御部１４１は、各金種別の合計値を各金種別に予め設定された上限値と比較すると共に、汚損硬貨の合計値を汚損硬貨の予め設定された上限値と比較する。
【０１０１】
つまり、制御部１４１は、貯留区分部６３ａの硬貨量と出金ホッパ８１ａの硬貨量とを加算して１円の正常硬貨の硬貨量の合計値を割り出し、この合計値を１円の正常硬貨の硬貨量の上限値と比較する。また、制御部１４１は、貯留区分部６３ｂの硬貨量と出金ホッパ８１ｂの硬貨量とを加算して５０円の正常硬貨の硬貨量の合計値を割り出し、この合計値を５０円の正常硬貨の硬貨量の上限値と比較する。同様にして、制御部１４１は、５円の正常硬貨の硬貨量の合計値を割り出して、これを５円の正常硬貨の硬貨量の上限値と比較し、１００円の正常硬貨の硬貨量の合計値を割り出して、これを１００円の正常硬貨の硬貨量の上限値と比較し、１０円の正常硬貨の硬貨量の合計値を割り出して、これを１０円の正常硬貨の硬貨量の上限値と比較し、５００円の正常硬貨の硬貨量の合計値を割り出して、これを５００円の正常硬貨の硬貨量の上限値と比較する。また、制御部１４１は、入金貯留部６２の汚損硬貨用の貯留区分部６３ｇに貯留している硬貨量と、硬貨収納出金部２２の汚損硬貨用の汚損硬貨収納箱８２ｇに収納している硬貨量とを加算して合計値を割り出し、この合計値についても汚損硬貨用に設定された上限値と比較する。
【０１０２】
ここで、上限値は、出金ホッパ８１ａ〜８１ｆ及び汚損硬貨収納箱８２ｇのそれぞれの最大収納許容量が設定されている。つまり、出金ホッパ８１ａに１円の正常硬貨を問題なく収納できる最大収納量である満杯値が出金ホッパ８１ａにおける１円の正常硬貨の硬貨量の上限値に設定されている。また、出金ホッパ８１ｂに５０円の正常硬貨を問題なく収納できる最大収納量である満杯値が出金ホッパ８１ｂにおける５０円の正常硬貨の硬貨量の上限値に設定されている。５円の正常硬貨、１００円の正常硬貨、１０円の正常硬貨及び５００円の正常硬貨についても、同様である。汚損硬貨については、市場流通枚数の比率に基づき、この比率で汚損硬貨が発生すると仮定して、汚損硬貨収納箱８２ｇに問題なく収納できる硬貨の最大収納量である満杯値が硬貨量の上限値に設定されている。或いは、大きさが最大の５００円硬貨を汚損硬貨収納箱８２ｇに問題なく収納できる最大収納量である満杯値を、汚損硬貨の硬貨量の上限値に設定している。
【０１０３】
そして、割り出した硬貨量の金種別の合計値が何れか一金種でも上限値を超えると、制御部１４１は、硬貨収納繰出部８１への硬貨の収納処理を禁止する状態になり、上記した収納部収納処理を行って、貯留区分部６３ｇの汚損硬貨を汚損硬貨収納箱８２ｇに、貯留区分部６３ａの１円の正常硬貨を収納カセット７０ａに、貯留区分部６３ｂの５０円の正常硬貨を専用の図示略の収納カセットに、貯留区分部６３ｃの５円の正常硬貨を専用の図示略の収納カセットに、貯留区分部６３ｄの１００円の正常硬貨を専用の図示略の収納カセットに、貯留区分部６３ｅの１０円の正常硬貨を専用の図示略の収納カセットに、貯留区分部６３ｆの５００円の正常硬貨を専用の図示略の収納カセットに、それぞれ収納する。その後、制御部１４１は、入金貯留部本体６４を図３に示す装填位置に戻して、収納部収納処理つまり入金収納処理を終了する。
【０１０４】
つまり、制御部１４１は、入金貯留部６２に分類別に貯留している硬貨を、その分類状態のまま、硬貨収納出金部２２に収納すると、硬貨収納出金部２２の出金ホッパ８１ａ〜８１ｆの何れかで最大収納量である満杯値を超えてしまう場合、入金貯留部６２に分類別に貯留している硬貨を、その分類状態のまま、硬貨収納出金部２２とは別の硬貨収納部７０及び汚損硬貨収納箱８２ｇに収納する。言い換えれば、制御部１４１は、入金貯留部６２の金種別の貯留区分部６３ａ〜６３ｆ及び硬貨収納繰出部８１の金種別の出金ホッパ８１ａ〜８１ｆの硬貨量の金種別の合計値が、何れか一金種でも上限値を超えると、入金貯留部６２に貯留している硬貨を硬貨収納部７０及び汚損硬貨収納箱８２ｇに収納する。汚損硬貨収納箱８２ｇで最大収納量である満杯値を超えてしまう場合は、アラームを発生させて汚損硬貨収納箱８２ｇの汚損硬貨の回収を促す。
【０１０５】
入金処理後、操作部に了解操作が入力された時点で、硬貨収納出金部２２が硬貨を繰り出す繰出処理を行っておらず、上記した入金貯留部６２の金種別の硬貨量と硬貨収納出金部２２の金種別の硬貨量との金種別の合計値が、何れの金種についても上限値を超えず、入金貯留部６２の汚損硬貨の硬貨量と硬貨収納出金部２２の汚損硬貨の硬貨量との合計値も上限値を超えない場合に、制御部１４１は、硬貨収納繰出部８１への硬貨の収納処理を許容する状態になり、図６に示すように、入金貯留部６２を収納繰出部放出位置で底部を開放する状態として、貯留区分部６３ａ〜６３ｇから落下する硬貨をその分類状態のままで硬貨収納繰出部８１及び汚損硬貨収納箱８２ｇに収納する硬貨収納繰出部等収納処理を行う。
【０１０６】
この硬貨収納繰出部等収納処理によって、貯留区分部６３ｇから落下する汚損硬貨を汚損硬貨収納箱８２ｇが、貯留区分部６３ａから落下する１円の正常硬貨を出金ホッパ８１ａが、貯留区分部６３ｂから落下する５０円の正常硬貨を出金ホッパ８１ｂが、貯留区分部６３ｃから落下する５円の正常硬貨を出金ホッパ８１ｃが、貯留区分部６３ｄから落下する１００円の正常硬貨を出金ホッパ８１ｄが、貯留区分部６３ｅから落下する１０円の正常硬貨を出金ホッパ８１ｅが、貯留区分部６３ｆから落下する５００円の正常硬貨を出金ホッパ８１ｆが、それぞれ収納する。その後、制御部１４１は、図３に示すように、底板６５を装填位置に戻して、硬貨収納繰出部等収納処理つまり入金収納処理を終了する。ここで、制御部１４１は、この硬貨収納繰出部等収納処理を開始した後は、この硬貨収納繰出部等収納処理が終了するまでは、硬貨収納繰出部８１の硬貨を繰り出す繰出処理を禁止する。そして、硬貨収納繰出部等収納処理が終了すると、硬貨収納繰出部８１の硬貨を繰り出す繰出処理を許容する状態になる。
【０１０７】
以上、硬貨収納出金部２２の硬貨収納繰出部８１が繰出処理中でなければ、入金貯留部６２に貯留している硬貨を硬貨収納繰出部８１に収納しても、繰出処理を行っていない硬貨収納繰出部８１に繰り出しジャムが発生することはないため、硬貨収納繰出部８１の非繰出処理時には、入金貯留部６２に貯留している硬貨を、その分類状態のまま、硬貨収納繰出部８１に収納する。
【０１０８】
「入金返却処理」
入金処理後、操作部にキャンセル操作が入力されると、制御部１４１は、図５に示すように、入金貯留部６２を返却部放出位置で底部を開く状態として、貯留区分部６３ａ〜６３ｇから落下する硬貨をその分類状態のままで硬貨返却部７５に収納する。
【０１０９】
すなわち、貯留区分部６３ｇから落下する汚損硬貨を返却区分部７５ｇが、貯留区分部６３ａから落下する１円の正常硬貨を返却区分部７５ａが、貯留区分部６３ｂから落下する５０円の正常硬貨を返却区分部７５ｂが、貯留区分部６３ｃから落下する５円の正常硬貨を返却区分部７５ｃが、貯留区分部６３ｄから落下する１００円の正常硬貨を返却区分部７５ｄが、貯留区分部６３ｅから落下する１０円の正常硬貨を返却区分部７５ｅが、貯留区分部６３ｆから落下する５００円の正常硬貨を返却区分部７５ｆが、それぞれ収納する。その後、制御部１４１は、図３に示すように、底板６５及び入金貯留部本体６４を装填位置に戻して、返却処理を終了する。この状態で、硬貨返却部７５は、図２に示すベース筐体４３から取り外されて、収納していた硬貨が外部に取り出される。
【０１１０】
「自動包装処理」
制御部１４１は、上記した硬貨収納繰出部等収納処理の終了後、硬貨収納繰出部８１の出金ホッパ８１ａ〜８１ｆのそれぞれの硬貨量つまり金種別の硬貨量を、金種別に設定されたニアフル値と、金種別に比較する。出金ホッパ８１ａ〜８１ｆの何れかの硬貨量が、対応するニアフル値を超えると、制御部１４１は、出金ホッパ８１ａ〜８１ｆのニアフル値を超えたものから硬貨を棒金処理部１２に向け繰り出す繰出処理を行って、出金ホッパ８１ａ〜８１ｆのニアフル値を超えたものに収納している硬貨の硬貨量を、ニアフル値よりも所定値を超えて下回る量まで減らす。このとき、計数繰出部９１ａ〜９１ｆの対応するもので包装単位枚数或いはその倍数分の枚数を繰り出すようにする。そして、硬貨収納繰出部８１から繰り出された硬貨を棒金処理部１２で包装する。
【０１１１】
例えば、硬貨収納繰出部等収納処理の終了後、出金ホッパ８１ａに収納されている１円の正常硬貨の硬貨量が、１円の正常硬貨について設定されているニアフル値を超えると、繰出側搬送路１１１を、出金ホッパ８１ａから繰り出された硬貨を小径側中間ゲート１３１に向けて搬送する状態とし、小径側中間ゲート１３１を、繰出側搬送路１１１で搬送されてきた硬貨を棒金処理部１２側に繰り出す状態として、出金ホッパ８１ａから硬貨をその計数繰出部９１ａで包装単位枚数或いはその倍数分の枚数だけ繰り出し、出金ホッパ８１ａに収納されている１円の正常硬貨の硬貨量をニアフル値よりも所定値を超えて下回らせる。そして、出金ホッパ８１ａから繰り出された硬貨を棒金処理部１２に搬送してその包装部２０１で包装する。出金ホッパ８１ｂ，出金ホッパ８１ｃについても同様にする。
【０１１２】
また、例えば、硬貨収納繰出部等収納処理の終了後、出金ホッパ８１ｄに収納されている１００円の正常硬貨の硬貨量が、１００円の正常硬貨について設定されているニアフル値を超えると、繰出側搬送路１１１を、出金ホッパ８１ｄから繰り出された硬貨を大径側中間ゲート１３２に向けて搬送する状態とし、大径側中間ゲート１３２を、繰出側搬送路１１１で搬送されてきた硬貨を棒金処理部１２側に繰り出す状態として、出金ホッパ８１ｄから硬貨をその計数繰出部９１ｄで包装単位枚数或いはその倍数分の枚数だけ繰り出し、出金ホッパ８１ｄに収納されている１００円の正常硬貨の硬貨量をニアフル値よりも所定値を超えて下回らせる。そして、出金ホッパ８１ｄから繰り出された硬貨を棒金処理部１２に搬送してその包装部２０１で包装する。出金ホッパ８１ｅ，出金ホッパ８１ｆについても同様にする。
【０１１３】
包装部２０１では、硬貨処理部１１から受け入れた硬貨を硬貨識別計数部２１１で計数して包装単位枚数（５０枚）の硬貨を硬貨集積包装部２１２に繰り出し、硬貨集積包装部２１２が、このように繰り出された包装単位枚数の硬貨を集積させて、その周囲に包装紙を巻き回し包装紙を両側を加締めて棒金とする。すなわち、包装部２０１は、硬貨収納繰出部８１から繰出処理により繰り出された硬貨を集積させて包装する。制御部１４１は、硬貨収納繰出部８１の出金ホッパ８１ａ〜８１ｆの何れか一つでも収納している硬貨量が所定量を超えると、所定量を超えた出金ホッパから硬貨を繰り出す繰出処理を行うと共に、この繰出処理で繰り出された硬貨を包装部２０１で包装する。
【０１１４】
そして、このように硬貨集積包装部２１２で作製された棒金を、棒金振分搬送部２１３、棒金出金部２０３の棒金出金リフト２２１、棒金収納部２０２の棒金収納搬送部２３１及び棒金収納リフト２３２で搬送して棒金収納本体部２３３に金種別に収納させる。ここで、棒金収納本体部２３３の対応金種の棒金が満杯である場合、硬貨集積包装部２１２で作製された棒金を、棒金振分搬送部２１３及び棒金出金リフト２２１で棒金一括収納部２２４に収納する。
【０１１５】
硬貨収納繰出部等収納処理の終了後、出金ホッパ８１ａ〜８１ｆのうちの複数の出金ホッパにおいて、収納している硬貨の硬貨量がニアフル値を超えている場合、制御部１４１は、何れか一金種について繰出処理を開始したら、繰り出した全ての硬貨が、硬貨集積包装部２１２に送り込まれて包装されるまで待機して、次の金種について繰出処理を開始し、この金種について繰り出した全ての硬貨が、硬貨集積包装部２１２に送り込まれて包装されたら、次の金種について繰出処理を開始するということを繰り返して、一金種ずつ包装する。その場合、例えば、出金ホッパ８１ａ〜８１ｆのうち、硬貨量が多いものから順に繰出処理を行う。逆に、出金ホッパ８１ａ〜８１ｆのうち、硬貨量が少ないものから順に繰出処理を行っても良い。
【０１１６】
そして、硬貨収納繰出部８１の全ての出金ホッパ８１ａ〜８１ｆの硬貨量がニアフル値を所定値を超えて下回る状態となり、硬貨収納繰出部８１から繰り出された硬貨が全て棒金となって棒金収納本体部２３３或いは棒金一括収納部２２４に収納されると、制御部１４１は、自動包装処理を終了する。
【０１１７】
自動包装処理としては、上記のように、出金ホッパ８１ａ〜８１ｆの硬貨量が包装基準値よりも大きくなった場合に行われる処理以外に、棒金処理部１２の棒金の収納量（在高）に応じて、出金ホッパ８１ａ〜８１ｆから硬貨を繰り出し棒金処理部１２に搬送して棒金を作製する処理もある。この場合、出金ホッパ８１ａ〜８１ｆの硬貨量が、運用上必要な最小値である所定の基準値を下回らない範囲で、自動的に、出金ホッパ８１ａ〜８１ｆから硬貨を繰り出し棒金処理部１２に搬送して棒金を作製する。例えば、棒金処理部１２における棒金の金種別の収納量（在高）の変化から、棒金での出金が多い金種を判別し、この金種の硬貨を硬貨処理部１１から棒金処理部１２に繰り出して棒金を作製する。
【０１１８】
ここで、硬貨処理装置１０は、自動包装処理の実行中であって、硬貨収納繰出部８１から硬貨を繰り出す繰出処理中であっても、これと並行して、上記した入金処理及び入金収納処理が可能となっている。そして、自動包装処理において硬貨収納繰出部８１から硬貨を繰り出す繰出処理中、制御部１４１は、上記したように硬貨収納繰出部８１へ硬貨を収納する硬貨収納繰出部等収納処理を禁止する状態になっていることから、入金貯留部６２の硬貨を硬貨収納部７０及び汚損硬貨収納箱８２ｇに収納する収納部収納処理を行う。すなわち、制御部１４１は、自動包装処理において硬貨収納繰出部８１から硬貨を繰り出す繰出処理と、入金収納処理において硬貨収納部７０及び汚損硬貨収納箱８２ｇに硬貨を収納する収納部収納処理とを並行して行う。他方、硬貨収納繰出部８１から硬貨を繰り出す繰出処理中にない場合、制御部１４１は、上記したように硬貨収納繰出部８１へ硬貨を収納する硬貨収納繰出部等収納処理を許容する状態になっていることから、自動包装処理中でない場合、入金収納処理において入金貯留部６２の硬貨を硬貨収納繰出部８１に収納する硬貨収納繰出部等収納処理を行う。すなわち、制御部１４１は、自動包装処理において硬貨収納繰出部８１から硬貨を繰り出す繰出処理時には、入金収納処理において、この繰出処理と並行して入金貯留部６２によって硬貨を硬貨収納部７０及び汚損硬貨収納箱８２ｇに収納する収納部収納処理を行う一方、この繰出処理時以外は、入金貯留部６２によって硬貨を硬貨収納繰出部８１及び汚損硬貨収納箱８２ｇに収納する硬貨収納繰出部等収納処理を行う。
【０１１９】
なお、自動包装処理において硬貨収納繰出部８１から硬貨を繰り出す繰出処理中、入金貯留部６２の硬貨を硬貨収納部７０及び汚損硬貨収納箱８２ｇに収納する収納部収納処理を行おうとした際に、硬貨収納部７０の収納カセット７０ａを含む金種別の収納カセットの何れかにおいて硬貨量が最大収納量に達した満杯状態にある場合、制御部１４１は、自動包装処理の終了を待って、入金貯留部６２の硬貨を硬貨収納繰出部８１に収納する硬貨収納繰出部等収納処理を行う。また、硬貨収納部７０の収納カセット７０ａを含む金種別の収納カセット及び汚損硬貨収納箱８２ｇの何れかにおいて硬貨量が最大収納量に達した満杯状態にあり、且つ、硬貨収納繰出部８１の出金ホッパ８１ａ〜８１ｆの何れかにおいて硬貨量が最大収納量に達した満杯状態にある場合、制御部１４１は、図示略の操作部への入金処理の選択操作を受け付けない状態となる。
【０１２０】
「硬貨出金処理」
図示略の操作部に出金させる硬貨の金種別の枚数を含む出金処理操作が入力されると、制御部１４１は、硬貨収納繰出部８１の出金ホッパ８１ａ〜８１ｆの対応する金種のものから硬貨を繰り出す繰出処理を行って硬貨出金部１０２に搬送する。
【０１２１】
例えば、出金させる硬貨に１円の正常硬貨が含まれている場合、出金ホッパ８１ａから硬貨をその計数繰出部９１ａで出金枚数だけ繰り出し、繰出側搬送路１１１及び出金側搬送路１１２で搬送して、出金識別計数部１１４で識別しつつ計数して、硬貨出金部１０２に搬送する。出金ホッパ８１ｂ〜８１ｆについても同様にする。そして、出金させる全金種の硬貨をそれぞれの設定枚数繰り出すと、制御部１４１は、硬貨出金処理を終了する。その後、硬貨出金部１０２が、装置本体４１の収納引出部７２から取り外されて、収納していた硬貨が外部に取り出される。すなわち、硬貨出金部１０２は、硬貨収納繰出部８１の繰出処理により繰り出された硬貨を外部に取り出し可能に出金する。ここで、硬貨出金処理において、出金識別計数部１１４で、出金させる硬貨に含まれない金種の硬貨や、出金枚数を超える枚数の硬貨が検出された場合、制御部１４１は、硬貨出金部１０２に貯留していた全ての硬貨を、出金リジェクト案内部１０３で出金リジェクト部１０４に収納して、硬貨出金処理をやり直す。
【０１２２】
硬貨処理装置１０は、この硬貨出金処理の実行中であって、硬貨収納繰出部８１から硬貨を繰り出す繰出処理中であっても、これと並行して、上記した入金処理及び入金収納処理が可能となっている。そして、硬貨出金処理において硬貨収納繰出部８１から硬貨を繰り出す繰出処理中、制御部１４１は、上記したように硬貨収納繰出部８１へ硬貨を収納する硬貨収納繰出部等収納処理を禁止する状態になっていることから、入金貯留部６２の硬貨を硬貨収納部７０及び汚損硬貨収納箱８２ｇに収納する収納部収納処理を行う。すなわち、制御部１４１は、硬貨出金処理において硬貨収納繰出部８１から硬貨を繰り出す繰出処理と、入金収納処理において硬貨収納部７０及び汚損硬貨収納箱８２ｇに硬貨を収納する収納部収納処理とを並行して行う。他方、硬貨収納繰出部８１から硬貨を繰り出す繰出処理中にない場合、制御部１４１は、上記したように硬貨収納繰出部８１へ硬貨を収納する硬貨収納繰出部等収納処理を許容する状態になっていることから、硬貨出金処理中でない場合、入金収納処理において入金貯留部６２の硬貨を硬貨収納繰出部８１及び汚損硬貨収納箱８２ｇに収納する硬貨収納繰出部等収納処理を行う。すなわち、制御部１４１は、硬貨出金処理において硬貨収納繰出部８１から硬貨を繰り出す繰出処理時には、入金収納処理において、この繰出処理と並行して入金貯留部６２によって硬貨を硬貨収納部７０及び汚損硬貨収納箱８２ｇに収納する収納部収納処理を行う一方、この繰出処理時以外は、入金貯留部６２によって硬貨を硬貨収納繰出部８１及び汚損硬貨収納箱８２ｇに収納する硬貨収納繰出部等収納処理を行う。
【０１２３】
なお、硬貨出金処理において硬貨収納繰出部８１から硬貨を繰り出す繰出処理中、入金貯留部６２の硬貨を硬貨収納部７０及び汚損硬貨収納箱８２ｇに収納する収納部収納処理を行おうとした際に、硬貨収納部７０の収納カセット７０ａを含む金種別の収納カセットの何れかにおいて硬貨量が最大収納量に達した満杯状態にある場合、制御部１４１は、硬貨出金処理の終了を待って、入金貯留部６２の硬貨を硬貨収納繰出部８１に収納する硬貨収納繰出部等収納処理を行う。また、硬貨収納部７０の収納カセット７０ａを含む金種別の収納カセット及び汚損硬貨収納箱８２ｇの何れかにおいて硬貨量が最大収納量に達した満杯状態にあり、且つ、硬貨収納繰出部８１の出金ホッパ８１ａ〜８１ｆの何れかにおいて硬貨量が最大収納量に達した満杯状態にある場合、制御部１４１は、図示略の操作部への入金処理の選択操作を受け付けない状態となる。
【０１２４】
以上に述べた第１実施形態に係る硬貨処理装置１０によれば、入金貯留部６２が、収納繰出部放出位置で底部を開くと、正常硬貨貯留部６０に貯留している正常硬貨を硬貨収納繰出部８１に落下させると共に貯留区分部６３ｇに貯留している汚損硬貨を汚損硬貨収納箱８２ｇに落下させることになり、収納部放出位置で底部を開くと、正常硬貨貯留部６０に貯留している正常硬貨を収納シュート７１を介して硬貨収納部７０に落下させると共に貯留区分部６３ｇに貯留している汚損硬貨を汚損硬貨収納箱８２ｇに落下させることになる。収納シュート７１及び硬貨収納繰出部８１を、出金繰出引出部８５の引き出し方向に直交する横方向に並べて設け、収納繰出部放出位置及び収納部放出位置の両方で入金貯留部６２から汚損硬貨を受け入れる汚損硬貨収納部を、収納シュート７１及び硬貨収納繰出部８１の両方に跨がる範囲に設けられる一体の汚損硬貨収納箱８２ｇとすることで、構造の簡素化を図る。つまり、汚損硬貨収納箱８２ｇは、一部品で形成されているので、例えば、左右方向に分割された二部品とする場合のように、部品を分離することなどがなく、部品間の相対位置等を気にする必要が無くなり、分割タイプのものよりも、製造精度や組付・取付精度を抑えることができ、手間及びコストを低減することができる。
【０１２５】
また、このような簡素な構造としても、汚損硬貨収納箱８２ｇは、収納シュート７１及び硬貨収納繰出部８１に対し、出金繰出引出部８５の引き出し方向の手前側に設けられることから、硬貨収納部７０及び収納シュート７１が設けられた基本状態にある本体部９０に対し引き出し可能な出金繰出引出部８５に、一体の汚損硬貨収納箱８２ｇと硬貨収納繰出部８１とを良好に配置することができる。
【０１２６】
また、出金繰出引出部８５の基本状態にある本体部９０に対する引き出し可能な範囲が、基本状態にある本体部９０から硬貨収納繰出部８１を突出させずに汚損硬貨収納箱８２ｇを突出させる範囲と、基本状態にある本体部９０から硬貨収納繰出部８１及び汚損硬貨収納箱８２ｇを突出させる範囲とに切り替え可能であるため、必要によりセキュリティ性を高めることができる。
【０１２７】
また、硬貨を収納すると共に収納している硬貨を繰り出す硬貨収納繰出部８１とは別に、硬貨を収納する硬貨収納部７０を設けており、制御部１４１は、硬貨収納繰出部８１から硬貨を繰り出す繰出処理と硬貨収納部７０に硬貨を収納する収納処理とを並行して行う。このように繰出処理と収納処理とを並行して行うため、処理時間を短縮することができる。しかも、繰出処理と収納処理とを並行して行っても、硬貨を繰り出す硬貨収納繰出部８１とは別の硬貨収納部７０に硬貨を収納することから、繰り出しジャムの発生を抑制することができる。
【０１２８】
また、制御部１４１は、硬貨収納繰出部８１から硬貨を繰り出す繰出処理時には、この繰出処理と並行して入金貯留部６２によって硬貨を硬貨収納部７０に収納する収納部収納処理を行うことになる。一方、制御部１４１は、硬貨収納繰出部８１から硬貨を繰り出す繰出処理時以外は、入金貯留部６２によって硬貨を硬貨収納繰出部８１に収納する。これにより、硬貨収納繰出部８１の硬貨の収納量を増やすことができるため、収納量が不足して繰出処理が行えない状態となることを抑制できる。
【０１２９】
また、入金貯留部６２は、入金された硬貨を金種別の貯留区分部６３ａ〜６３ｆに金種別に分けて貯留すると共に、貯留している硬貨を、金種別に分けた状態のまま硬貨収納繰出部８１の金種別の出金ホッパ８１ａ〜８１ｆに収納可能であるため、硬貨収納繰出部８１から複数金種の硬貨を繰り出すことができる。
【０１３０】
また、入金貯留部６２の金種別の貯留区分部６３ａ〜６３ｆ及び硬貨収納繰出部８１の金種別の出金ホッパ８１ａ〜８１ｆの硬貨量の金種別の合計値が、何れか一金種でも上限値を超えると、制御部１４１は、入金貯留部６２に貯留している硬貨を硬貨収納部７０に収納するため、何れかの出金ホッパ８１ａ〜８１ｆの硬貨量が上限値を超えることによる装置停止の頻度を減らすことができる。
【０１３１】
また、制御部１４１は、硬貨収納繰出部８１の硬貨量が所定量を超えると、硬貨を硬貨収納繰出部８１から繰り出して包装部２０１で包装することになるが、このような包装中の状態にあっても、収納処理を行うことができる。
【０１３２】
また、硬貨収納繰出部８１から繰出処理により繰り出された硬貨を硬貨出金部１０２が外部に取り出し可能に出金することになるが、このような出金中の状態にあっても、収納処理を行うことができる。
【０１３３】
＜第２実施形態＞
本発明の第２実施形態に係る硬貨処理装置を主に図１６及び図１７を参照して第１実施形態との相違部分を中心に以下に説明する。
【０１３４】
第２実施形態においては、第１実施形態の汚損硬貨収納箱８２ｇにかえて、汚損硬貨シュート３２１ｇと汚損硬貨収納箱３２２ｇとを有する汚損硬貨収納部３２３ｇが設けられている。汚損硬貨収納部３２３ｇも、汚損硬貨収納箱８２ｇと同様に、収納カセット７０ａ及び出金ホッパ８１ａの前方に設けられており、汚損硬貨シュート３２１ｇが、入金貯留部６２の貯留区分部６３ｇから落下する汚損硬貨を案内し、汚損硬貨収納箱３２２ｇが、汚損硬貨シュート３２１ｇで案内される硬貨を収納する。
【０１３５】
汚損硬貨収納部３２３ｇは、その汚損硬貨収納箱３２２ｇが、出金繰出引出部８５において出金繰出引出部本体８６に着脱可能に設けられており、その汚損硬貨シュート３２１ｇが出金繰出引出部本体８６に組み込まれている。なお、汚損硬貨シュート３２１ｇを出金繰出引出部本体８６ではなく汚損硬貨収納箱３２２ｇに取り付けても良い。出金繰出引出部本体８６に組み込まれた出金ホッパ８１ａ〜８１ｆ及び汚損硬貨シュート３２１ｇと、出金繰出引出部本体８６に装着された汚損硬貨収納箱３２２ｇとは、出金繰出引出部８５が基本状態にある本体部９０に押し込まれると、入金貯留部６２の貯留区分部６３ａ〜６３ｇから落下する硬貨を収納可能となる。汚損硬貨収納箱３２２ｇも硬貨を繰り出し不可に収納する。
【０１３６】
汚損硬貨シュート３２１ｇを含む出金繰出引出部本体８６にセットされた状態で出金繰出引出部本体８６と共に本体部９０に押し込まれると、汚損硬貨収納箱３２２ｇは、入金貯留部６２が収納繰出部放出位置で底部を開くことによって貯留区分部６３ｇから落下する汚損硬貨を、汚損硬貨シュート３２１ｇを介して間接的に受け入れて全金種一括で収納すると共に、入金貯留部６２が収納部放出位置で底部を開くことによって貯留区分部６３ｇから落下する汚損硬貨をも、汚損硬貨シュート３２１ｇを介して間接的に受け入れて全金種一括で収納する。つまり、汚損硬貨シュート３２１ｇ及び汚損硬貨収納箱３２２ｇを含む汚損硬貨収納部３２３ｇは、入金貯留部６２が収納繰出部放出位置及び収納部放出位置の何れにあっても、汚損硬貨を貯留する貯留区分部６３ｇから底部が開くことで落下する汚損硬貨を一括で収納する。
【０１３７】
このため、汚損硬貨収納部３２３ｇは、その一体物の汚損硬貨シュート３２１ｇが、左右方向、つまり出金繰出引出部８５の引き出し方向に直交する横方向において収納シュート７１及び硬貨収納繰出部８１の両方に跨がる範囲に設けられている。詳しくは、汚損硬貨シュート３２１ｇは、出金繰出引出部８５の引き出し方向に直交する横方向（左右方向）及び高さ方向の両方において硬貨収納部７０、収納シュート７１及び硬貨収納繰出部８１に位置を重ね合わせている。そして、出金繰出引出部８５の引き出し方向に見て、汚損硬貨シュート３２１ｇは、収納シュート７１及び硬貨収納繰出部８１の両方に重なる一方、硬貨収納部７０には全く重ならない。
【０１３８】
汚損硬貨シュート３２１ｇは一体である。言い換えれば、汚損硬貨シュート３２１ｇは、硬貨処理装置１０にセットされた状態においては常に一部品の状態が維持され複数部品に分離されることはない。汚損硬貨シュート３２１ｇは、左右方向の幅が広く前後方向の厚さが薄い筒状をなしている。
【０１３９】
汚損硬貨シュート３２１ｇは、上部が、左右方向において収納シュート７１及び硬貨収納繰出部８１の両方に跨がる範囲に設けられる四角筒状の幅広部３３１となっており、下部が、幅広部３３１よりも左右方向の幅が狭い幅狭部３３２となっている。汚損硬貨シュート３２１ｇは、上下方向の中間部が、幅広部３３１と幅狭部３３２とを繋ぐように下側ほど幅が狭くなる窄状部３３３となっている。幅狭部３３２は、左右方向において幅広部３３１の一端側の下方に設けられており、よって、汚損硬貨シュート３２１ｇは、略Ｌ字状の一体物となっている。幅狭部３３２は、左右方向において硬貨収納部７０及び硬貨収納繰出部８１の一方である硬貨収納繰出部８１の範囲のみに設けられている。汚損硬貨シュート３２１ｇは、幅広部３３１の上端部が上方に向け開口する上部開口部３３５となっており、幅狭部３３２の下端部が下方に向け開口する下部開口部３３６となっている。そして、出金繰出引出部８５の引き出し方向に見て、汚損硬貨シュート３２１ｇは、幅広部３３１及び窄状部３３３が硬貨収納部７０には重ならずに収納シュート７１及び硬貨収納繰出部８１の両方に重なる一方、幅狭部３３２は硬貨収納部７０及び収納シュート７１の何れにも重ならずに硬貨収納繰出部８１に重なる。
【０１４０】
幅広部３３１の上端部の左右方向の中間部には、上部開口部３３５を前後方向に横断する補強部３４０が設けられている。補強部３４０は、幅広部３３１の前後方向の変形を規制する。補強部３４０は、左右方向において、上部ユニット４２のユニット底部３００の収納繰出部側汚損硬貨落下口８０ｇと収納部側汚損硬貨落下口８８ｇとの間に配置されている。
【０１４１】
汚損硬貨収納箱３２２ｇは、上部の開口部３４１が設けられた有底四角筒状であり、汚損硬貨シュート３２１ｇの下部開口部３３６から落下する硬貨を開口部３４１から受け入れて収納する。汚損硬貨収納箱３２２ｇも、汚損硬貨シュート３２１ｇの幅狭部３３２と同様に、左右方向において硬貨収納部７０及び収納シュート７１の何れにも重ならずに硬貨収納繰出部８１に重なる。
【０１４２】
ここで、収納シュート７１及び硬貨収納繰出部８１の両方に跨がる範囲に設けられた一体の汚損硬貨シュート３２１ｇと、汚損硬貨収納箱３２２ｇとが、硬貨収納部７０及び収納シュート７１が設けられた基本状態にある本体部９０に対して引き出し可能な出金繰出引出部８５に、硬貨収納繰出部８１と共に設けられている。そして、収納シュート７１及び硬貨収納繰出部８１の両方に跨がる範囲に設けられた一体の汚損硬貨シュート３２１ｇは、硬貨収納部７０及び硬貨収納繰出部８１に対し、出金繰出引出部８５の引き出し方向の手前側に設けられることで、複数部品に分離されることなく、硬貨収納部７０及び収納シュート７１が設けられた基本状態にある本体部９０からの出金繰出引出部８５の引き出しを可能としている。
【０１４３】
また、幅狭部３３２及び汚損硬貨収納箱３２２ｇが、左右方向において硬貨収納部７０及び硬貨収納繰出部８１の一方である硬貨収納繰出部８１側に偏って設けられているため、硬貨収納部７０側には存在せず、これにより、出金繰出引出部８５を基本状態にある本体部９０に押し込んだ状態で、基本状態にある本体部９０の硬貨収納部７０を含む収納引出部７２の引き出しが可能となる。
【０１４４】
汚損硬貨シュート３２１ｇと汚損硬貨収納箱３２２ｇとを有する汚損硬貨収納部３２３ｇは、出金繰出引出部８５が、入金貯留部６２及び収納シュート７１が設けられた上部ユニット４２と共にベース筐体４３に押し込まれた状態では、上部ユニット４２の図８に示す収納シュート７１の前方の空間部８７に配置される。この状態で、図１７に示すように、収納繰出部側汚損硬貨落下口８０ｇ及び収納部側汚損硬貨落下口８８ｇの下側のこれら両方を水平方向において覆う範囲に、汚損硬貨シュート３２１ｇの上部開口部３３５が配置される。これにより、汚損硬貨シュート３２１ｇは、入金貯留部６２が収納繰出部放出位置にて底部を開くことで貯留区分部６３ｇから落下し収納繰出部側汚損硬貨落下口８０ｇを通過する硬貨と、入金貯留部６２が収納部放出位置にて底部を開くことで貯留区分部６３ｇから落下し収納部側汚損硬貨落下口８８ｇを通過する硬貨とを上部開口部３３５から受け入れて下部開口部３３６から放出し、下部開口部３３６から放出される硬貨を、汚損硬貨収納箱３２２ｇが開口部３４１から受け入れて収納する。また、汚損硬貨収納部３２３ｇの汚損硬貨収納箱３２２ｇは、基本状態にある本体部９０から出金繰出引出部８５が引き出された後、出金繰出引出部本体８６から取り外されることで、収納した汚損硬貨が外部に取り出し可能となる。
【０１４５】
汚損硬貨収納部３２３ｇは、出金繰出引出部８５が基本状態にある本体部９０から引き出されると、出金繰出引出部本体８６と共に引き出されることになり、出金繰出引出部８５が基本状態にある本体部９０に収容されると、その汚損硬貨シュート３２１ｇの上部開口部３３５が、基本状態にある本体部９０のユニット底部３００に形成された収納繰出部側汚損硬貨落下口８０ｇと収納部側汚損硬貨落下口８８ｇとを覆うように下方に配置される。これにより、出金繰出引出部８５が基本状態にある本体部９０から引き出し可能でありながらも、収納繰出部放出位置及び収納部放出位置の何れの位置から入金貯留部６２によって汚損硬貨が放出されても、放出された汚損硬貨を出金繰出引出部８５の汚損硬貨収納箱３２２ｇに確実に収納することができる。
【０１４６】
以上に述べた第２実施形態に係る硬貨処理装置１０によれば、入金貯留部６２が、収納繰出部放出位置で底部を開くと、正常硬貨貯留部６０に貯留している正常硬貨を硬貨収納繰出部８１に落下させると共に貯留区分部６３ｇに貯留している汚損硬貨を汚損硬貨収納部３２３ｇに落下させることになり、収納部放出位置で底部を開くと、正常硬貨貯留部６０に貯留している正常硬貨を収納シュート７１を介して硬貨収納部７０に落下させると共に貯留区分部６３ｇに貯留している汚損硬貨を汚損硬貨収納部３２３ｇに落下させることになる。収納シュート７１及び硬貨収納繰出部８１を、出金繰出引出部８５の引き出し方向に直交する横方向に並べて設け、収納繰出部放出位置及び収納部放出位置の両方で入金貯留部６２から汚損硬貨を受け入れる汚損硬貨収納部３２３ｇが、収納シュート７１及び硬貨収納繰出部８１の両方に跨がる範囲に設けられる一体の汚損硬貨シュート３２１ｇを有することで、汚損硬貨収納部３２３ｇの構造の簡素化を図る。つまり、汚損硬貨シュート３２１ｇは、一部品で形成されているので、例えば、左右方向に、分割された二部品とする場合のように、部品を分離することなどがなく、部品間の相対位置等を気にする必要が無くなり、分割タイプのものよりも、製造精度や組付・取付精度を抑えることができ、手間及びコストを低減することができる。
【０１４７】
また、このような簡素な構造としても、汚損硬貨シュート３２１ｇは、収納シュート７１及び硬貨収納繰出部８１に対し、出金繰出引出部８５の引き出し方向の手前側に設けられることから、硬貨収納部７０及び収納シュート７１が設けられた基本状態にある本体部９０に対し引き出し可能な出金繰出引出部８５に、一体の汚損硬貨シュート３２１ｇと硬貨収納繰出部８１とを良好に配置することができる。
【０１４８】
以上の第１，第２実施形態を以下の変形例のように変更することができる。
【０１４９】
［変形例１］
硬貨処理装置１０は、硬貨処理部１１と棒金処理部１２とを備えているが、硬貨処理部１１のみを備えるものであっても良い。
【０１５０】
［変形例２］
前側係合部３１３及び後側係合部３１４とロック機構３１５とを、出金繰出引出部８５の出金繰出引出部本体８６の右側面部にかえて、或いは右側面部に加えて、左側面部や底面部等の他の面に設けるようにしても良い。
【０１５１】
出金繰出引出部８５を押し込む際にもロック機構３１５のオンオフを行うようにしているが、後側係合部３１４に傾斜面を設けることで、押し込み時は、後側係合部３１４がロックピン３１６をバネ力に抗して押し戻せるようにしても良い。
【符号の説明】
【０１５２】
１０…硬貨処理装置、６０…正常硬貨貯留部、６２…入金貯留部（振分部）、６３ａ〜６３ｆ…貯留区分部、６３ｇ…貯留区分部（汚損硬貨貯留部）、７０…硬貨収納部（収納部）、８１…硬貨収納繰出部（収納繰出部）、８１ａ〜８１ｆ…出金ホッパ（収納区分部）、８２ｇ…汚損硬貨収納箱（汚損硬貨収納部）、８５…出金繰出引出部（引出部）、９０…本体部、３２１ｇ…汚損硬貨シュート、３２２ｇ…汚損硬貨収納箱、３２３ｇ…汚損硬貨収納部。
【図１】
2018081383.tif 000003
【図２】
2018081383.tif 000004
【図３】
2018081383.tif 000005
【図４】
2018081383.tif 000006
【図５】
2018081383.tif 000007
【図６】
2018081383.tif 000008
【図７】
2018081383.tif 000009
【図８】
2018081383.tif 000010
【図９】
2018081383.tif 000011
【図１０】
2018081383.tif 000012
【図１１】
2018081383.tif 000013
【図１２】
2018081383.tif 000014
【図１３】
2018081383.tif 000015
【図１４】
2018081383.tif 000016
【図１５】
2018081383.tif 000017
【図１６】
2018081383.tif 000018
【図１７】
2018081383.tif 000019